(57)【要約】【課題】  使い勝手の良い便利な印刷環境を構築すること。【解決手段】  ＭＦＰ１０２を含む印刷システムにおいて、メモリ部２０９には、用紙の属性情報が予め記憶されている。ＭＦＰ１０２において、操作部２０７は用紙の属性情報の複製又は変更を、キー入力部７０１やタッチパネル部７０２を介して、ユーザにより実行可能とする。ＭＦＰ１０２が有するＭＦＰ制御部２０３は、メモリ部２０９に記憶されている属性情報に対応する用紙を用いた印刷処理を、その属性情報に基いた条件で、プリント部２０５に実行させる。ユーザから用紙を指定した印刷指示が入力されると、ＭＦＰ制御部２０３は、指定用紙の属性情報がメモリ部２０９に記憶されているかを判定し、記憶された属性情報を用いてプリント部２０５に印刷させる。操作部２０７は、印刷用紙をユーザが選択する際に、属性情報を複製又は変更された用紙を選択可能にする。【選択図】  図３
2007301911.tif 000002
【特許請求の範囲】
【請求項１】
印刷装置を具備する印刷システムであって、
記憶手段に予め記憶されている用紙の属性情報の複製又は変更を、ユーザインターフェイス手段を介して、ユーザにより実行可能にする、操作制御手段と、
前記記憶手段に予め属性情報が記憶されている用紙を用いた印刷処理を前記印刷装置により実行させる場合に、その用紙の属性情報に基いた印刷処理条件で、前記印刷装置を動作させる、制御手段と、を有し、
前記操作制御手段は、
前記印刷装置による印刷に要する用紙を前記ユーザインターフェイス手段を介してユーザにより選択させる際に、属性情報の複製又は変更がユーザによりなされていない用紙は選択不可とし、且つ、属性情報の複製又は変更がなされた用紙を選択可能にする、ことを特徴とする印刷システム。
【請求項２】
請求項１記載の印刷システムであって、
前記操作制御手段は、
用紙の性質に関る用紙固有の属性情報、及び、印刷処理を行う際の前記印刷装置の印刷プロセスパラメータに関る属性情報の、少なくとも何れかの属性情報に関して、前記ユーザインターフェイス手段を介してユーザによる複製又は変更を実行可能にする、ことを特徴とする印刷システム。
【請求項３】
請求項１又は２記載の印刷システムであって、
前記操作制御手段は、
用紙の坪量に関る情報、及び、用紙の表面性に関る情報、及び、用紙の形状に関る情報、用紙の色に関る情報、及び、前記印刷装置が具備する定着部の温度調整に関る情報、前記印刷装置の二次転写電圧の調整に関る情報、及び、前記印刷装置における用紙の搬送速度の調整に関る情報のうちの、少なくとも何れかの属性情報に関して、前記ユーザインターフェイス手段を介してユーザによる複製又は変更を実行可能にする、ことを特徴とする印刷システム。
【請求項４】
請求項１〜３の何れかに記載の印刷システムであって、
前記操作制御手段は、
用紙のＩＤ、及び、用紙の名称、のうちの、少なくとも何れかの用紙の属性情報に関して、前記ユーザインターフェイス手段を介してユーザによる複製又は変更を実行可能にする、ことを特徴とする印刷システム。
【請求項５】
請求項１〜４の何れかに記載の印刷システムであって、
前記操作制御手段は、
前記記憶手段に予め属性情報が記憶されている用紙の属性情報を変更する変更要求が前記ユーザインターフェイス手段を介してユーザによりなされていない用紙を、前記印刷装置による印刷に要する用紙をユーザが選択する際に選択不可とする、ことを特徴とする印刷システム。
【請求項６】
請求項１〜５の何れかに記載の印刷システムであって、
前記操作制御手段は、
前記記憶手段の特定の記憶領域に予め記憶されている用紙の属性情報を別の記憶領域にコピーする複製要求が前記ユーザインターフェイス手段を介してユーザによりなされていない用紙を、前記印刷装置による印刷に要する用紙をユーザが選択する際に選択不可とする、ことを特徴とする印刷システム。
【請求項７】
請求項１〜６の何れかに記載の印刷システムであって、
前記操作制御手段は、
前記属性情報の複製又は変更が前記ユーザインターフェイス手段を介してユーザによりなされていない用紙をユーザにより選択不可とし且つ前記属性情報の複製又は変更が前記ユーザインターフェイス手段を介してユーザにより実行済みの用紙をユーザにより選択可能にした表示を、前記印刷装置による印刷に要する用紙をユーザが選択する際に、前記ユーザインターフェイス手段により、実行可能にする、ことを特徴とする印刷システム。
【請求項８】
請求項１〜７の何れかに記載の印刷システムであって、
前記操作制御手段は、
前記ユーザインターフェイス手段により実行させるリスト形式の表示を介して、前記印刷装置による印刷に要する用紙をユーザにより選択可能にし、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にする、ことを特徴とする印刷システム。
【請求項９】
請求項１〜８の何れかに記載の印刷システムであって、
前記操作制御手段は、
前記ユーザインターフェイス手段により実行させるリスト形式の表示を介して、前記印刷装置による印刷に要する用紙をユーザにより選択可能にし、
前記操作制御手段は、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にし、
前記操作制御手段は、
前記リストの表示内容のフィルタリングを、前記ユーザインターフェイス手段からのユーザ要求に従い実行可能にする、ことを特徴とする印刷システム。
【請求項１０】
請求項１〜９の何れかに記載の印刷システムであって、
前記操作制御手段は、
前記ユーザインターフェイス手段により実行させるリスト形式の表示を介して、前記印刷装置による印刷に要する用紙をユーザにより選択可能にし、
前記操作制御手段は、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にし、
前記操作制御手段は、
前記リストの表示内容のソーティングを、前記ユーザインターフェイス手段からのユーザ要求に従い実行可能にする、ことを特徴とする印刷システム。
【請求項１１】
請求項１〜１０の何れかに記載の印刷システムであって、
前記操作制御手段は、
前記ユーザインターフェイス手段により実行させるリスト形式の表示を介して、前記印刷装置による印刷に要する用紙をユーザにより選択可能にし、
前記操作制御手段は、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にし、
前記操作制御手段は、
前記印刷装置による印刷に要する用紙をユーザにより選択可能にする為の表示として、前記リスト形式の表示とは異なる形式の表示を、前記ユーザインターフェイス手段により実行可能にし、
前記リスト形式の表示と、前記リスト形式とは異なる形式の表示とを、前記ユーザインターフェイス手段からのユーザ指示に従い、選択的に、前記ユーザインターフェイス手段により、実行可能にする、ことを特徴とする印刷システム。
【請求項１２】
請求項１〜１１の何れかに記載の印刷システムであって、
前記操作制御手段は、
前記ユーザインターフェイス手段により実行させるリスト形式の表示を介して、前記印刷装置による印刷に要する用紙をユーザにより選択可能にし、
前記操作制御手段は、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にし、
前記操作制御手段は、
前記印刷装置による印刷に要する用紙をユーザにより選択可能にする為の表示として、前記リスト形式の表示とは異なる形式の表示に該当する、複数のボタンを具備したボタン形式の表示、を、前記ユーザインターフェイス手段により、実行可能にし、
前記リスト形式の表示と、前記ボタン形式の表示とを、前記ユーザインターフェイス手段からのユーザ指示に従い、選択的に、前記ユーザインターフェイス手段により、実行可能にする、ことを特徴とする印刷システム。
【請求項１３】
請求項１〜１２の何れかに記載の印刷システムであって、
前記操作制御手段は、
前記属性情報の複製又は変更が前記ユーザインターフェイス手段を介してユーザによりなされていない用紙をユーザにより選択不可とし且つ前記属性情報の複製又は変更が前記ユーザインターフェイス手段を介してユーザにより実行済みの用紙をユーザにより選択可能にした表示を、前記印刷装置による印刷に要する用紙をユーザが選択する際に、前記ユーザインターフェイス手段により、実行可能にし、
前記操作制御手段は、
前記記憶手段に予め記憶されている属性情報の複製又は変更がユーザによりなされている用紙か否かをユーザにより識別可能にする表示として、文字表記形式の表示及びアイコン形式の表示のうちの少なくとも何れかの形式の表示を、前記ユーザインターフェイス手段により、実行可能にすることを特徴とする印刷システム。
【請求項１４】
請求項１〜１３の何れかに記載の印刷システムであって、
前記操作制御手段は、
前記記憶手段に予め属性情報が記憶されている用紙の属性情報を変更する変更要求が前記ユーザインターフェイス手段を介してユーザによりなされた用紙を、前記印刷装置による印刷に要する用紙をユーザが選択する際に選択可能とし、
前記操作制御手段は、
前記記憶手段の特定の記憶領域に予め属性情報が記憶されている用紙の属性情報を別の記憶領域にコピーする複製要求が前記ユーザインターフェイス手段を介してユーザによりなされた用紙を、前記印刷装置による印刷に要する用紙をユーザが選択する際に選択可能にし、
前記操作制御手段は、
前記印刷装置による印刷に要する用紙をユーザが選択する際に、選択候補の用紙の複製元をユーザにより識別可能にする為の表示、及び、選択候補の用紙の変更履歴をユーザにより識別可能にする為の表示、のうちの、少なくとも何れかの表示を、前記ユーザインターフェイス手段により、実行可能にする、ことを特徴とする印刷システム。
【請求項１５】
請求項１〜１４の何れかに記載の印刷システムであって、
前記操作制御手段は、
前記記憶手段に予め記憶されている属性情報の複製又は変更がユーザによりなされている用紙に関して、該用紙の複製又は変更を行ったユーザを特定可能にする為の表示を、前記ユーザインターフェイス手段により、実行可能にする、ことを特徴とする印刷システム。
【請求項１６】
請求項１〜１５の何れかに記載の印刷システムであって、
前記操作制御手段は、
前記属性情報の複製又は変更が前記ユーザインターフェイス手段を介してユーザによりなされていない用紙をユーザにより選択不可とし且つ前記属性情報の複製又は変更が前記ユーザインターフェイス手段を介してユーザにより実行済みの用紙をユーザにより選択可能にした表示を、前記印刷装置による印刷に要する用紙をユーザが選択する際に、前記ユーザインターフェイス手段により、実行可能にし、
且つ、前記操作制御手段は、
前記印刷装置による印刷に要する用紙をユーザが選択する際に前記ユーザインターフェイス手段により実行させる表示の内容を、前記記憶手段に予め記憶されている属性情報の複製又は変更を行ったユーザ毎に、区別可能にする、ことを特徴とする印刷システム。
【請求項１７】
請求項１〜１６の何れかに記載の印刷システムであって、
前記印刷装置は、原稿読取手段からの印刷データ、及び、情報処理装置から送信された印刷データのうちの、少なくとも何れかの印刷データの印刷が実行可能であり、
前記ユーザインターフェイス手段は、前記印刷装置が具備するユーザインターフェイス手段を含む、ことを特徴とする印刷システム。
【請求項１８】
請求項１〜１７の何れかに記載の印刷システムであって、
前記印刷装置は、原稿読取手段からの印刷データ、及び、情報処理装置から送信された印刷データのうちの、少なくとも何れかの印刷データの印刷が実行可能であり、
前記ユーザインターフェイス手段は、前記情報処理装置が具備するユーザインターフェイス手段を含む、ことを特徴とする印刷システム。
【請求項１９】
請求項１〜１８の何れかに記載の印刷システムであって、
前記印刷装置は、原稿読取手段からの印刷データ、及び、情報処理装置から送信された印刷データのうちの、少なくとも何れかの印刷データの印刷が実行可能であり、
前記記憶手段に予め記憶されている属性情報の複製又は変更がユーザによりなされている用紙か否かを前記情報処理装置にて特定可能にする為の情報を、前記印刷装置から前記情報処理装置へ、送信可能にする、ことを特徴とする印刷システム。
【請求項２０】
請求項１〜１９の何れかに記載の印刷システムであって、
前記印刷装置は、ホストコンピュータから送信された印刷データの印刷が実行可能であり、
前記ホストコンピュータのユーザインターフェイス手段を介して特定のユーザ要求がなされた場合に、前記記憶手段に予め記憶されている属性情報の複製又は変更がユーザによりなされている用紙か否かを前記ホストコンピュータにて特定可能にする情報を、前記印刷装置から前記情報処理装置へ、送信可能にする、ことを特徴とする印刷システム。
【請求項２１】
印刷装置を具備する印刷システムの制御方法であって、
記憶手段に予め記憶されている用紙の属性情報の複製又は変更を、ユーザインターフェイス手段を介して、ユーザにより実行可能にし、
前記記憶手段に予め属性情報が記憶されている用紙を用いた印刷処理を前記印刷装置により実行させる場合に、その用紙の属性情報に基いた印刷処理条件で、前記印刷装置を動作可能にし、
前記印刷装置による印刷に要する用紙を前記ユーザインターフェイス手段を介してユーザにより選択させる際に、属性情報の複製又は変更がユーザによりなされていない用紙は選択不可とし、且つ、属性情報の複製又は変更がなされた用紙を選択可能にする、ことを特徴とする制御方法。
【請求項２２】
請求項２１記載の制御方法であって、
前記ユーザインターフェイス手段を介してユーザによる複製又は変更を許可する用紙の属性情報として、用紙の性質に関る用紙固有の属性情報、及び、印刷処理を行う際の前記印刷装置の印刷プロセスパラメータに関る装置の属性情報の、少なくとも何れかの情報に関して、前記ユーザインターフェイス手段を介してユーザによる複製又は変更を実行可能にする、ことを特徴とする制御方法。
【請求項２３】
請求項２１又は２２記載の制御方法であって、
前記ユーザインターフェイス手段を介してユーザにより複製又は変更を許可する用紙の属性情報として、用紙の坪量に関る情報、及び、用紙の表面性に関る情報、及び、用紙の形状に関る情報、用紙の色に関る情報、及び、前記印刷装置が具備する定着部の温度調整に関る情報、前記印刷装置の二次転写電圧の調整に関る情報、及び、前記印刷装置における用紙の搬送速度の調整に関る情報のうちの、少なくとも何れかの情報に関して、前記ユーザインターフェイス手段を介してユーザによる複製又は変更を実行可能にする、ことを特徴とする制御方法。
【請求項２４】
請求項２１〜２３の何れかに記載の制御方法であって、
前記ユーザインターフェイス手段を介してユーザにより複製又は変更を許可する用紙の属性情報として、用紙のＩＤ、及び、用紙の名称、のうちの、少なくとも何れかの情報に関して、前記ユーザインターフェイス手段を介してユーザによる複製又は変更を実行可能にする、ことを特徴とする制御方法。
【請求項２５】
請求項２１〜２４の何れかに記載の制御方法であって、
前記記憶手段に予め属性情報が記憶されている用紙の属性情報を変更する変更要求が前記ユーザインターフェイス手段を介してユーザによりなされていない用紙を、前記印刷装置による印刷に要する用紙をユーザが選択する際に選択不可とする、ことを特徴とする制御方法。
【請求項２６】
請求項２１〜２５の何れかに記載の制御方法であって、
前記記憶手段の特定の記憶領域に予め属性情報が記憶されている用紙の属性情報を別の記憶領域にコピーする複製要求が前記ユーザインターフェイス手段を介してユーザによりなされていない用紙を、前記印刷装置による印刷に要する用紙をユーザが選択する際に選択不可とする、ことを特徴とする制御方法。
【請求項２７】
請求項２１〜２６の何れかに記載の制御方法であって、
前記属性情報の複製又は変更が前記ユーザインターフェイス手段を介してユーザによりなされていない用紙をユーザにより選択不可とし且つ前記属性情報の複製又は変更が前記ユーザインターフェイス手段を介してユーザにより実行済みの用紙をユーザにより選択可能にした表示を、前記印刷装置による印刷に要する用紙をユーザが選択する際に、前記ユーザインターフェイス手段により、実行可能にする、ことを特徴とする制御方法。
【請求項２８】
請求項２１〜２７の何れかに記載の制御方法であって、
前記ユーザインターフェイス手段により実行させるリスト形式の表示を介して、前記印刷装置による印刷に要する用紙をユーザにより選択可能にし、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にする、ことを特徴とする制御方法。
【請求項２９】
請求項２１〜２８の何れかに記載の制御方法であって、
前記ユーザインターフェイス手段により実行させるリスト形式の表示を介して、前記印刷装置による印刷に要する用紙をユーザにより選択可能にし、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にし、
前記リストの表示内容のフィルタリングを、前記ユーザインターフェイス手段からのユーザ要求に従い実行可能にする、ことを特徴とする制御方法。
【請求項３０】
請求項２１〜２９の何れかに記載の制御方法であって、
前記ユーザインターフェイス手段により実行させるリスト形式の表示を介して、前記印刷装置による印刷に要する用紙をユーザにより選択可能にし、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にし、
前記リストの表示内容のソーティングを、前記ユーザインターフェイス手段からのユーザ要求に従い実行可能にする、ことを特徴とする制御方法。
【請求項３１】
請求項２１〜３０の何れかに記載の制御方法であって、
前記ユーザインターフェイス手段により実行させるリスト形式の表示を介して、前記印刷装置による印刷に要する用紙をユーザにより選択可能にし、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にし、
前記印刷装置による印刷に要する用紙をユーザにより選択可能にする為の表示として、前記リスト形式の表示とは異なる形式の表示を、前記ユーザインターフェイス手段により実行可能にし、
前記リスト形式の表示と、前記リスト形式とは異なる形式の表示とを、前記ユーザインターフェイス手段からのユーザ指示に従い、選択的に、前記ユーザインターフェイス手段により、実行可能にする、ことを特徴とする制御方法。
【請求項３２】
請求項２１〜３１の何れかに記載の制御方法であって、
前記ユーザインターフェイス手段により実行させるリスト形式の表示を介して、前記印刷装置による印刷に要する用紙をユーザにより選択可能にし、
前記属性情報の複製又は変更が前記ユーザインターフェイス手段を介してユーザによりなされていない用紙は選択対象外とし、前記属性情報の複製又は変更が前記ユーザインターフェイス手段を介してユーザにより実行済みの用紙は選択候補とした、表示を、前記リスト形式の表示として、前記ユーザインターフェイス手段により、実行可能にし、
前記印刷装置による印刷に要する用紙をユーザにより選択可能にする為の表示として、前記リスト形式の表示とは異なる形式の表示に該当する、複数のボタンを具備したボタン形式の表示、を、前記ユーザインターフェイス手段により、実行可能にし、
前記リスト形式の表示と、前記ボタン形式の表示とを、前記ユーザインターフェイス手段からのユーザ指示に従い、選択的に、前記ユーザインターフェイス手段により、実行可能にする、ことを特徴とする制御方法。
【請求項３３】
請求項２１〜３２の何れかに記載の制御方法であって、
前記属性情報の複製又は変更が前記ユーザインターフェイス手段を介してユーザによりなされていない用紙をユーザにより選択不可とし且つ前記属性情報の複製又は変更が前記ユーザインターフェイス手段を介してユーザにより実行済みの用紙をユーザにより選択可能にした表示を、前記印刷装置による印刷に要する用紙をユーザが選択する際に、前記ユーザインターフェイス手段により、実行可能にし、
前記記憶手段に予め記憶されている属性情報の複製又は変更がユーザによりなされている用紙か否かをユーザにより識別可能にする表示として、文字表記形式の表示及びアイコン形式の表示のうちの少なくとも何れかの形式の表示を、前記ユーザインターフェイス手段により、実行可能にすることを特徴とする制御方法。
【請求項３４】
請求項２１〜３３の何れかに記載の制御方法であって、
前記記憶手段に予め属性情報が記憶されている用紙の属性情報を変更する変更要求が前記ユーザインターフェイス手段を介してユーザによりなされた用紙を、前記印刷装置による印刷に要する用紙をユーザが選択する際に選択可能とし、
前記記憶手段の特定の記憶領域に予め属性情報が記憶されている用紙の属性情報を別の記憶領域にコピーする複製要求が前記ユーザインターフェイス手段を介してユーザによりなされた用紙を、前記印刷装置による印刷に要する用紙をユーザが選択する際に選択可能にし、
前記印刷装置による印刷に要する用紙をユーザが選択する際に、選択候補の用紙の複製元をユーザにより識別可能にする為の表示、及び、選択候補の用紙の変更履歴をユーザにより識別可能にする為の表示、のうちの、少なくとも何れかの表示を、前記ユーザインターフェイス手段により、実行可能にする、ことを特徴とする制御方法。
【請求項３５】
請求項２１〜３４の何れかに記載の制御方法であって、
前記記憶手段に予め記憶されている属性情報の複製又は変更がユーザによりなされている用紙に関して、該用紙の複製又は変更を行ったユーザを特定可能にする為の表示を、前記ユーザインターフェイス手段により、実行可能にする、ことを特徴とする制御方法。
【請求項３６】
請求項２１〜３５の何れかに記載の制御方法であって、
前記属性情報の複製又は変更が前記ユーザインターフェイス手段を介してユーザによりなされていない用紙をユーザにより選択不可とし且つ前記属性情報の複製又は変更が前記ユーザインターフェイス手段を介してユーザにより実行済みの用紙をユーザにより選択可能にした表示を、前記印刷装置による印刷に要する用紙をユーザが選択する際に、前記ユーザインターフェイス手段により、実行可能にし、
且つ、
前記印刷装置による印刷に要する用紙をユーザが選択する際に前記ユーザインターフェイス手段により実行させる表示の内容を、前記記憶手段に予め記憶されている属性情報の複製又は変更を行ったユーザ毎に、区別可能にする、ことを特徴とする制御方法。
【請求項３７】
請求項２１〜３６の何れかに記載の制御方法であって、
前記印刷装置により、原稿読取手段からの印刷データ、及び、情報処理装置から送信された印刷データのうちの、少なくとも何れかの印刷データの印刷を実行可能にし、
前記ユーザインターフェイス手段は、前記印刷装置が具備するユーザインターフェイス手段を含む、ことを特徴とする制御方法。
【請求項３８】
請求項２１〜３７の何れかに記載の制御方法であって、
前記印刷装置により、原稿読取手段からの印刷データ、及び、情報処理装置から送信された印刷データのうちの、少なくとも何れかの印刷データの印刷を実行可能にし、
前記ユーザインターフェイス手段は、前記情報処理装置が具備するユーザインターフェイス手段を含む、ことを特徴とする制御方法。
【請求項３９】
請求項２１〜３８の何れかに記載の制御方法であって、
前記印刷装置により、原稿読取手段からの印刷データ、及び、情報処理装置から送信された印刷データのうちの、少なくとも何れかの印刷データの印刷を実行可能にし、
前記印刷装置から送信される、前記記憶手段に予め記憶されている属性情報の複製又は変更がユーザによりなされている用紙か否かを前記情報処理装置にて特定可能にする為の情報を、前記情報処理装置により、取得可能にする、ことを特徴とする制御方法。
【請求項４０】
請求項２１〜３９の何れかに記載の制御方法であって、
前記印刷装置により、ホストコンピュータから送信された印刷データの印刷を実行可能にし、
前記ホストコンピュータのユーザインターフェイス手段を介して特定のユーザ要求に応じて前記印刷装置から送信させる、前記記憶手段に予め記憶されている属性情報の複製又は変更がユーザによりなされている用紙か否かを前記ホストコンピュータにて特定可能にする情報を、前記情報処理装置により、取得可能にする、ことを特徴とする制御方法。
【請求項４１】
請求項２１〜４０の何れかに記載の制御方法を実行させるためのコンピュータプログラムを記憶したコンピュータ読取可能な記憶媒体。
【請求項４２】
請求項２１〜４０の何れかに記載の制御方法を実行させるためのコンピュータプログラム。
【請求項４３】
請求項２１〜４０の何れかに記載の制御方法を実行させるための印刷装置。
【発明の詳細な説明】
【技術分野】
【０００１】
本発明は、用紙に印刷処理を行う印刷装置を有する印刷システム、制御方法、記憶媒体、プログラム、印刷装置に関するものである。
【背景技術】
【０００２】
従来より、商業的印刷業界では種々の作業工程を踏んで出版物の発行が行われている。例えば、原稿の入稿、該原稿へのデザインの付与、レイアウト編集、カンプ（印刷によるプレゼンテーション）、校正（レイアウト修正や色修正）、校正刷り（プルーフ印刷）、版下作成、印刷、後処理加工、発送等がある。
【０００３】
特に、商業的印刷業界の場合、印刷工程においてオフセット製版印刷機が用いられることが多いため、版下作成工程は不可欠な工程である。しかしながら、版下作成は、一度行うとその修正が容易ではなく、且つ修正を行った場合、コスト的にかなり不利になることから、版下作成にあたっては、入念な校正（即ち、入念なレイアウトのチェックや色の確認作業）が必須となってくる。このため、出版物の発行が完了するまでには、ある程度の期間を要することが一般的であった。
【０００４】
また、商業的印刷業界の場合、各作業工程において利用される装置は大掛かりなものが多くコストがかかるうえ、これら各工程における作業には専門知識が必要であるため、いわゆる職人と呼ばれる熟練者のノウハウが不可欠であった。
【０００５】
このような状況に対し、最近、電子写真方式の印刷装置やインクジェット方式の印刷装置の高速化、高画質化を受けて、上記商業的印刷業界に対抗する、いわゆるプリント・オン・ディマンド（Print On Demand：以下、ＰＯＤと表記する。）と呼ばれる市場が出現しつつある。
【０００６】
これは、比較的小ロットのジョブを、大掛かりな装置やシステムを用いずに、短納期で取り扱うことができるよう、上記大規模な印刷機、印刷手法に代わって出現してきたものである。
【０００７】
ＰＯＤ市場では、例えば、デジタル複写機やデジタル複合機等の印刷装置を最大限に活用することで、電子データを用いたデジタルプリントを実現し、プリントサービス等を行うことが可能となっている。
【０００８】
また、ＰＯＤ市場の場合、従来の商業的印刷業界よりもデジタル化が進んでおり、コンピュータを利用した管理・制御が浸透してきていることから、実際に短納期での印刷物の発行が可能であり、また、作業者のノウハウが不要であるというメリットもある。さらに、最近では印刷物の画質も商業的印刷業界のレベルに近づきつつある。
【０００９】
このような状況に鑑み、事務機メーカ等が、ＰＯＤ市場という新たな分野に新規参入する方向の検討がなされつつある（特許文献１参照）。そして、このような検討を、市場動向を見極めつつ、より詳細に行い、例えば、オフィス環境とは異なるユースケースやニーズが想定されるＰＯＤ環境にも活用可能な印刷装置や印刷システムの検討がなされている。尚、ここでいうＰＯＤ環境とは、例えば、事務機メーカから印刷装置を購入した会社が、顧客から印刷依頼を受注し、顧客の要求に応じた印刷物を、該印刷装置を用いて、最終成果物として作成する。そして、その作成した印刷物を、その顧客に納品することで、報酬を得る。そのようなビジネスを行っている会社等をイメージしている。
【００１０】
このようなＰＯＤ市場における印刷環境を想定してみると、如何に印刷システムにて生産性を向上させるかが今後重要視される事が予想される。且つ、高い生産性を維持しつつ、いかに印刷システムのオペレータが印刷システムを使いやすくするかも、今後重要視されることが予想される。
【特許文献１】特開２００５−１６５７２２号公報
【発明の開示】
【発明が解決しようとする課題】
【００１１】
上述のように例えば事務機メーカ等がＰＯＤ市場という新規分野に本格的に参入する為には、上述のようにＰＯＤ市場の状況を想定し、オフィス環境ではあまり発生しないような状況にも対処する事が望ましいと考える。換言すると、上述の文献のようにＰＯＤ環境に適したデジタルプリンティングシステムの製品実用化に向けての検討を十分にする必要があると考える。しかしながら、ＰＯＤ環境にも適した印刷システムの製品実用化を目指すことを想定してみると、上記文献に開示する構成だけではフォローしきれていない検討事項や課題が残されていると考える。
【００１２】
例えば、オフィス環境においては、印刷装置による印刷に利用する用紙の選択候補は、せいぜい、多くても、１０〜３０種類程度である。一方、例えばＰＯＤ環境では、１００種類以上の用紙を取り揃えていなければいけない状況が想定される。というのも、ＰＯＤ環境では、顧客からのきめ細やかな要求に対処した印刷物を最終成果物として作成する必要がある事に起因する。具体例で換言すると、例えば、印刷に利用する用紙に関し、顧客から、用紙の製造元や、品位や（表面性、光沢性）、サイズや、種類、重さ（坪量）、等、用紙にまつわる様々な条件が、顧客から指定される状況が想定される。又は、用紙に関る詳細な要求が顧客から直接的に指定されてなくても、顧客が望む最終成果物を作成すべく、ＰＯＤ環境で作業するオペレータが、それに見合った用紙を多数の選択候補の中から決定する等の状況が想定される。このような状況にも対処可能にすべく、ＰＯＤ環境では、無数の種類の用紙を、取り揃えておく状況が想定される。このような状況を鑑みると、印刷装置（又は印刷システム）が、多数の種類の用紙に対応可能に構成されている事が望ましいと考える。又、好ましくは、多数の種類の用紙を選択的に利用可能に構成するのみならず、印刷に要する用紙の性質に見合った適正な印刷プロセスを実行可能に構成する事が望ましいと考える。例えば、印刷装置の温度制御や搬送制御等の印刷プロセスに関る制御を、印刷に利用する用紙の性質に応じて、柔軟に対処可能に構成する構成が望ましいと考える。
【００１３】
又、例えば、従来の印刷装置は、上記例示が如くの印刷プロセスに関る制御パラメータは、予め装置内部で管理されている機器内部の制御情報として、取り扱われており、印刷装置を利用するオペレータが任意に登録変更できるような構成ではなかった。この理由は、オフィス環境等では、上記例示が如く、印刷装置による印刷に利用する用紙の選択候補は、せいぜい、多くても、１０〜３０種類程度である。故に、その程度の用紙の選択候補に対しは、印刷装置を製造する際に予め対処可能に構成されている等の事情に、起因すると考える。
【００１４】
しかしながら、上記例示が如く、ＰＯＤ環境では今後数百種類の用紙に対処可能にする事が予想される。そこで、顧客の要求に満足した品質の印刷物を作成可能にすべく、ＰＯＤ環境で従事するオペレータが、上記例示が如くの印刷プロセスに関る制御パラメータを、そのＰＯＤ環境で利用する用紙に対応して、設定可能に構成することがさらに望ましいと考える。このように、無数の用紙に対処した印刷装置を構成するならば、各種用紙の性質に見合った、上記例示が如くの制御パラメータを、印刷装置のオペレータにより設定登録可能に構成することが望ましいと考える。
【００１５】
又、上記構成において、例えば、ＰＯＤ環境で印刷装置のオペレータが、顧客からの印刷要求に応じた印刷を印刷装置に実行させる際に、無数の用紙の選択候補の中から選択するといった煩雑的な操作を、オペレータに要求しないようにすることがより望ましい。このように、上記例示が如くの構成にするが為に、オペレータに対する操作性が懸念されるといった問題の発生を極力抑えることが望ましい。
【００１６】
以上のように、ＰＯＤ環境にも適した印刷システムの製品実用化を目指す為にも、上記例示が如くのユースケースやユーザニーズに対処可能にすることが望ましい。
【課題を解決するための手段】
【００１７】
上記目的を達成するため、本発明に係るシステムは、
印刷装置を具備する印刷システムであって、
記憶手段に予め記憶されている用紙の属性情報の複製又は変更を、ユーザインターフェイス手段を介して、ユーザにより実行可能にする、操作制御手段と、
前記記憶手段に予め属性情報が記憶されている用紙を用いた印刷処理を前記印刷装置により実行させる場合に、その用紙の属性情報に基いた印刷処理条件で、前記印刷装置を動作させる、制御手段と、を有し、
前記操作制御手段は、
前記印刷装置による印刷に要する用紙を前記ユーザインターフェイス手段を介してユーザにより選択させる際に、属性情報の複製又は変更がユーザによりなされていない用紙は選択不可とし、且つ、属性情報の複製又は変更がなされた用紙を選択可能にする、ことを特徴とする。
【００１８】
上記目的を達成するため、本発明に係る方法は、
印刷装置を具備する印刷システムの制御方法であって、
記憶手段に予め記憶されている用紙の属性情報の複製又は変更を、ユーザインターフェイス手段を介して、ユーザにより実行可能にし、
前記記憶手段に予め属性情報が記憶されている用紙を用いた印刷処理を前記印刷装置により実行させる場合に、その用紙の属性情報に基いた印刷処理条件で、前記印刷装置を動作可能にし、
前記印刷装置による印刷に要する用紙を前記ユーザインターフェイス手段を介してユーザにより選択させる際に、属性情報の複製又は変更がユーザによりなされていない用紙は選択不可とし、且つ、属性情報の複製又は変更がなされた用紙を選択可能にする、ことを特徴とする。
【００１９】
上記目的を達成するため、本発明に係る記憶媒体は、上述の制御方法を実行させるためのコンピュータプログラムを記憶したコンピュータ読取可能な記憶媒体である。
【００２０】
上記目的を達成するため、本発明に係るプログラムは、上述の制御方法を実行させるためのコンピュータプログラムである。
【００２１】
上記目的を達成するため、本発明に係る装置は、上述の制御方法を実行させるための印刷装置である。
【発明の効果】
【００２２】
本発明によれば、課題で想定したような問題に対応することができ、オフィス環境に留まらずＰＯＤ環境で適用可能な使い勝手の良い便利な印刷環境が構築可能となる。また、例えば、ＰＯＤ環境等を考慮し、印刷に要する用紙にまつわる様々な要求に対処すべく、多数の種類の用紙に対処できる印刷環境が構築可能となる。又、例えば、無数の種類の用紙に対処する事を想定し、印刷プロセスに関る印刷装置の制御パラメータを、オペレータにより設定登録可能にし、印刷装置にて利用する用紙の性質に見合った印刷プロセスで印刷装置を動作させる事が可能となる。尚且つ、そのような効果を図りつつも、オペレータに対する操作性が低下するといった問題が生じる事を極力抑えた印刷環境が構築可能となる。特に、例えば、ＰＯＤ環境等の印刷環境にて、非常に種類が多い用紙タイプの中から、印刷に要する用紙をオペレータにより素早く選択可能となり、ユーザの利便性および作業効率を向上させることができる。このように様々な状況や利用環境を想定し、様々なユーザからの様々なニーズにも、極力柔軟に対応可能な仕組みが提供可能である。
【発明を実施するための最良の形態】
【００２３】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００２４】
まず冒頭で、本実施形態が特に着目している点やユースケースやユーザニーズ、及び、本実施形態の、印刷装置（以下ではＭＦＰと称している）を具備する印刷システムが提案するコンセプト、及び、そのコンセプトにまつわる背景等に関し、以下に例示する。
【００２５】
まず、一般のオフィス環境では、クライアントコンピュータから印刷装置にプリント指示を行なう場合、プリンタドライバなどを利用する。つまり、一つのドキュメントに設定情報（ジョブチケットとも呼ぶ）を付与し、一つのＰＤＬ（Page Description Language）データとして印刷装置に送付する。これにより、印刷装置にてプリント動作を実行させる。このとき、ユーザは、用紙のサイズ等は気にしても、用紙のタイプにはあまり意識せずに、プリントを行うケースが多々見受けられる。
【００２６】
しかしながら、ＰＯＤ（Print On Demand）環境では、顧客がお金を支払ってプリントショップなどにジョブを依頼する。このような環境においては、用紙のサイズ、用紙のタイプなどは、課金の対象となる。故に、プリントショップ側も顧客側も意識しないわけには行かない。当然ジョブの出来上がり状況に関しては、画質だけでなく、用紙のサイズとタイプ、あるいは、バインディングなどの仕上がり状況にまで細かい指示が出されることとなる。このようなユースケースが想定されうる。
【００２７】
とりわけ、用紙のタイプに関しては、その意識の変革は、オフィス市場に比べて大きな期待が寄せられていると考える。というのも、ＰＯＤ市場においては、顧客自身が用紙の銘柄（種類）を指定してプリントジョブを依頼したり、用紙を持参してプリントジョブを依頼するケースが想定される。このように、顧客自身が自分のジョブに対して、そこで利用される記録媒体（メディア）への思い入れを、この後、抱き始める事が想定される。
【００２８】
次に、印刷装置においても、よりきれいな画質を追求する上で、用紙の坪量(紙の重さ)、表面性(紙の手触り感)、形状（パンチ済み用紙やタブ紙など）、色などを予める。その上で、エンジンプロセス制御（印刷プロセス制御）を、その用紙に合わせて最適化して対応可能にする。このような構成が想定される。
【００２９】
即ち、同じ印刷特性でも紙の種類が異なれば出力物の出来栄えが変わってくる。そのため、最適な出力物を得るためには、その用紙ごとに印刷特性を調整し最適な印刷特性で印刷することが今後益々重要視される事が予想される。換言すると、その用紙に合った印刷特性を作って、印刷すれば、最適な出力を得ることができる。
【００３０】
そこで、本実施形態では、このような用紙ごとの印刷特性を集めて、データベース化したものを用紙情報データベースと呼ぶこととする。このデータベース化している用紙情報は、本実施形態では、本印刷システムの印刷装置が内蔵するハードディスクに保持させるように構成している。尚、本実施形態では、当該ＨＤには、複数の印刷ジョブの印刷データ自体をも記憶保持させる構成となっている。
【００３１】
次に、本実施形態の印刷システムが提案する、この用紙情報の概念について説明しておく。
【００３２】
本実施形態の印刷システムでは、用紙情報（用紙タイプとも呼ぶ）を、Ｔｙｐｅ１、Ｔｙｐｅ２及び、Ｔｙｐｅ３という、３つの分類で、区別して、定義している。
【００３３】
まず、本実施形態における「Ｔｙｐｅ１」とは、例えば、オフィス環境等の印刷環境にも高い親和性でもって対処する為の分類である。具体例で換言すると、例えば、「普通紙」、「厚紙１」、「再生紙」、「パンチ済み紙」、「ＯＨＰ」、「タブ紙」、「ＯＨＰ紙」といった、以下に例示のＴｙｐｅ３よりも大雑把なカテゴリである。このＴｙｐｅ１の存在意義は、例えば、オフィス環境向けの印刷装置としてサポートしてきた用紙タイプの指定方法を踏襲可能にする為の仕組みでもある。尚、本実施形態では、Ｔｙｐｅ１に該当する用紙情報は、本印刷装置にデフォルトで記憶されている。且つ、初期状態（印刷装置を納品先に設置したときのままの状態）であっても、印刷装置のオペレータが特別な設定なしに、該印刷装置のユーザインターフェイス部（以下、ＵＩ部とも呼ぶ）に表示可能にし、該オペレータにより選択可能に構成している。
【００３４】
次に、本実施形態における「Ｔｙｐｅ３」とは、「Ｔｙｐｅ１」よりも、より詳細且つ厳密に用紙を区別して本印刷システムにて取り扱う為の仕組みでもある。これはＰＯＤ環境向けの仕様でもある。例えば、「用紙製造メーカＸＸＸ会社  ホワイト  リサイクル用紙  ＡＡ−５００」や、「用紙製造メーカＹＹＹ会社  カラー  印刷用紙」といった、個別の用紙銘柄（用紙名称とも呼ぶ）を定義した用紙タイプである。Ｔｙｐｅ３は、例えば「Ａ会社Ｂ用紙１０５ｇｓｍ」、「Ｃ社製Ｄペーパー２４ｌｂ」といった製紙会社やＯＡ機器メーカが名づけた用紙自体の固有名称を、そのままＰＯＤ環境で利用管理したいといった、ＰＯＤ環境にて要求されうるニーズに対処可能である。
【００３５】
次に、本実施形態における「Ｔｙｐｅ２」とは、例えば、「お気に入り」という概念でカテゴライズした用紙タイプである。Ｔｙｐｅ２の存在意義は、例えばＴｙｐｅ３の用紙種類は１００種類等無数に存在する。これをそのまま本形態のＵＩ部からユーザにより利用可能にすると高い操作性に影響を及ぼす可能性がある。そこで、必要な用紙種類のみの少ない選択肢から用紙種類を指定できるようにする。そのための仕組みでもある。Ｔｙｐｅ２を用いれば、Ｔｙｐｅ１やＴｙｐｅ３の用紙情報の複製（コピー）に該当する用紙情報を、Ｔｙｐｅ２の用紙情報として登録管理することができる。また、Ｔｙｐｅ１やＴｙｐｅ３の用紙情報を変更した情報に相当する用紙情報をＴｙｐｅ２の用紙情報として登録管理できる。このように、本実施形態では、印刷システムのオペレータ（あるいは、システム管理者）が、任意に名称を登録可能である。そして、その用紙が有する用紙情報データベース上の属性情報も再設定できる。また、他の用紙情報から複製して名称を付け替えて再登録することもできる。このような処理によって生成された用紙情報が、Ｔｙｐｅ２の用紙情報に該当する。
【００３６】
本形態では、これらの用紙情報を本実施形態の印刷装置のＨＤに予め登録しておき、その用紙自体の属性情報に合わせて、印刷装置自体のプロセス条件なども制御することができるように構成している。
【００３７】
次に、なぜこのような構成にしているか、その理由の一例を以下に例示する。
【００３８】
例えば、一般のオフィス環境で印刷装置を利用するならば、「普通紙」、「厚紙１」、「再生紙」、「パンチ済み紙」、「ＯＨＰ」などのせいぜい十数種類のＴｙｐｅ１の用紙タイプがあれば足りる。ユーザはそれらの中から所望の用紙タイプを選んでプリント指示を行えばよい。
【００３９】
しかしながら、ＰＯＤ環境や印刷関連の業種において利用の対象として想定しているＴｙｐｅ３の用紙は、数百種類〜数千種類とも言われている。小さなプリントショップであっても、何十種類もの用紙タイプが常備されているといった具合に、桁違いにその種類は増加することが予想される。
【００４０】
故に、印刷装置側において、その数百種類をデータベースとして用意して、ユーザに提供したとしても、ユーザ側では、あまりの数の多さに、所望の用紙を選ぶことができず、結局使えないものになってしまう事が懸念される。この現象は、コピー、プリントあるいは、ボックスプリントにおいても共通の問題として出てくる可能性がある。
【００４１】
例えば、まず、コピー動作及び、ボックスプリント動作の場合について考える。印刷装置の小さな操作部上の表示が、ボタン表示で用紙タイプを選択する画面があっても、リスト表示で用紙タイプを選択する画面があっても、データベース上の用紙タイプは、一度に表示しきれず、何回かに分けて画面をスクロールしながらの操作となる。
【００４２】
一方、プリント動作の場合は、ユーザは、クライアントＰＣからプリンタドライバを開いて、所望の用紙を選択することとなる。仮に、Ｔｙｐｅ３用紙を全部表示したとすると、クライアントＰＣの表示画面は用紙タイプだけで埋め尽くされるか、小さい枠内の数行の用紙タイプ表示をスクロールさせることで、所望の用紙タイプを選択することとなるだろう。
【００４３】
どちらの場合も、ユーザにとっては、相当の時間を費やす可能性が懸念させる。更に、ＰＯＤ環境においては、１つのジョブで表表紙、裏表紙、本身、合紙、タブ紙といった具合に、複数の用紙タイプを利用する可能性が想定される。
【００４４】
そこで、本形態の印刷システムは、上記のような問題が生じることを未然に防止可能にした構成となっている。
【００４５】
例えば、オフィス環境とＰＯＤ環境の両方での使用に耐えうる印刷装置を考えてみる。
【００４６】
一般的なオフィス環境では、ユーザは、せいぜい十種類以下のＴｙｐｅ１の用紙が利用する可能性が高い。このとき、ユーザは、その十種類以下のＴｙｐｅ１の用紙タイプの中から目的の用紙タイプを選択する事が予想される。
【００４７】
次に、ＰＯＤ環境においては、そのＰＯＤサイトの規模にも依存するが、よく利用される用紙タイプは、Ｔｙｐｅ１、Ｔｙｐｅ３合わせて、せいぜい百種類以下と推測される。これらを数百から数千あるＴｙｐｅ３リストから選択するのは、表示の面からも、選択の面からも効率や生産性が懸念されうる。
【００４８】
ＵＩ部に表示させる事を想定してみると、ソートやフィルタをかける場合のパフォーマンス不良の問題に対処する必要もある。更に、数百〜数千種類の用紙タイプを区別するためには、長い名称を余儀なくされ、その表示領域が大きくなる。これは、操作部上だけでなく、ドライバやアプリケーションソフト上の表記も考慮しなければいけないし、それぞれのＵＩにおいて、表示される文字数制限も考えなければいけない。そして、その結果として、当然、所望の用紙タイプを選択する場面でも、ユーザにとって相当の負荷と時間を費やすと共に、ますますユーザを混乱させる。このような状況が発生しないようにする為の仕組みを本形態は提供している。
【００４９】
又、もし、印刷の機能設定とそれを実現可能な用紙タイプの種類を考慮せずに用紙タイプを選択した場合、印刷自体が正しく行われないだけでなく、機器の耐久性低下や破損などの可能性にも対処可能に構成している。
【００５０】
このような各種例示が如くの状況を換言すると、印刷装置において、何百種類もある用紙タイプの中から、目的とする用紙タイプを選択することは、ユーザにとって非常に時間を消費し、かつ、負担となる作業であると考える。
【００５１】
更に、例えば、特定のユーザにとっては、毎回の印刷作業において選択する用紙タイプが数種類に特定されているというケースも想定されうる。このようなケースが発生している場合、その特定の用紙タイプを選択するために、毎回何百という用紙タイプの中から選択作業を行う必要がある。このように、作業効率の観点で懸念される事項が存在し得ると考える。
【００５２】
また、用紙タイプを選択するにあたり、その用紙タイプの名称やアイコンを表示させてその表示を利用して用紙選択を実行可能にするという構成を検討してみても、懸念事項はあると考える。例えば、その用紙の特徴を判別しづらい可能性がある。又、この問題を解消する１案として、用紙タイプの詳細を別途表示するという構成を検討しても、懸念事項は残されていると考える。例えば、通常は選択画面とは別の画面に表示する構成となってしまい、一覧性が悪く、やはり選択には時間がかかってしまう等の可能性がある。又、印刷の機能設定を実現可能な用紙タイプを正確に選択することは、機能と用紙タイプの関係を熟知したユーザでないと難しく、一般的なユーザは、その用紙タイプの名称や特徴情報からだけから判断することは難しい可能性もある。このように作業効率の観点で懸念される事項が、ユーザにより印刷に要する用紙を選択可能にする構成において、残されていると考える。
【００５３】
このような問題に対処可能にしたものが、本実施形態の印刷システムである。換言すると、本実施形態のように印刷システムを構成することで、上記で例示した懸念事項や問題に対処可能となる。換言すると、例えば、以下に例示の構成を本システムで実行可能に本システムの制御部は本システムを制御している。
【００５４】
例えば、ユーザが使用したい用紙タイプをお気に入りとしてＴｙｐｅ２にユーザ登録できるよう制御する。これにより、必要十分な選択肢から用紙銘柄を指定することができる。
【００５５】
例えば、印刷装置内で、Ｔｙｐｅ１、Ｔｙｐｅ２及び、Ｔｙｐｅ３それぞれが用紙情報データベースとして格納されている状態を考える。初期状態として、Ｔｙｐｅ１とＴｙｐｅ３は予め用意されたデータベースが入っていて、Ｔｙｐｅ２の用紙タイプは何も登録されていない。あるいは、初期状態として、Ｔｙｐｅ１とＴｙｐｅ３は予め用意されたデータベースが入っていて、Ｔｙｐｅ２には、予めＴｙｐｅ１の用紙タイプだけが登録されている。
【００５６】
そして、ユーザは、印刷装置の操作部を利用して、Ｔｙｐｅ１または、Ｔｙｐｅ３からＴｙｐｅ２に用紙情報データベースのデータを複製することでＴｙｐｅ２を作ることができる。また、Ｔｙｐｅ１やＴｙｐｅ３として定義されているプロセス設定値とは別の設定値を設定したい場合、Ｔｙｐｅ２においてそれらを変更してもよい。あるいは、新規登録として、ユーザが名称やプロセス設定値を与えられた範囲内で入力しても良い。また、Ｔｙｐｅ２用紙が１つ以上データベース内に存在すれば、Ｔｙｐｅ２からＴｙｐｅ２への複製も可能である。Ｔｙｐｅ３からＴｙｐｅ２への複製に際しては、Ｔｙｐｅ３の用紙名称と同じものをＴｙｐｅ２に命名してもよいし、変更しても構わない。
【００５７】
そして、ユーザに用紙タイプを表示/選択させる場合には、Ｔｙｐｅ２のみ、あるいは、Ｔｙｐｅ１とＴｙｐｅ２だけを表示させる。
【００５８】
これにより、数百〜数千種類あるＴｙｐｅ３を表示/選択する必要がないため、ユーザに対して、不要な手間をかけずに、すっきりした表示で混乱無く選択させることが可能となる。
【００５９】
上記例示が如くの効果は、印刷装置の操作部だけでなく、ネットワークを介したドライバやアプリケーションでも威力を発揮する。即ち、ドライバは、予め、印刷装置側で登録されたＴｙｐｅ２用紙のデータベースを吸い上げて（以後、用紙情報取得と呼ぶ）、その情報に基づいて表示を行う。一般的に、ドライバは、ドライバ自身またはＰＰＤにおいて、Ｔｙｐｅ１データを予め持っているため、そのＴｙｐｅ１データと、用紙情報取得したＴｙｐｅ２データをあわせて表示することもできる。これにより、オフィスユーザは、Ｔｙｐｅ１で選択し、ＰＯＤオペレータは、Ｔｙｐｅ２で選択することも可能となる。但し、Ｔｙｐｅ１はＰＯＤ環境においても、従来機との互換性、整合性を維持する上で必要であると考えられる。
【００６０】
この用紙情報取得の機能は、ネットワーク経由で用紙情報データベースのある特定の部分から必要な情報を取得するためのソフトウェアモジュールである。これを実装すれば、ドライバ以外のアプリケーションソフトウェアやユーティリティソフトウェアにも活用することができる。
【００６１】
このように、本実施形態の印刷システムのように構成することで、ユーザが、非常に種類が多い用紙タイプの中から、目的とする用紙タイプを素早く選択することも可能となり、ユーザの利便性および作業効率を向上させることができる。
【００６２】
即ち、例えば、技術背景で想定したような問題に対応することができ、オフィス環境に留まらずＰＯＤ環境で適用可能な使い勝手の良い便利な印刷環境が構築可能となる。また、例えば、ＰＯＤ環境等を考慮し、印刷に要する用紙にまつわる様々な要求に対処すべく、多数の種類の用紙に対処できる印刷環境が構築可能となる。又、例えば、無数の種類の用紙に対処する事を想定し、印刷プロセスに関る印刷装置の制御パラメータを、オペレータにより設定登録可能にし、印刷装置にて利用する用紙の性質に見合った印刷プロセスで印刷装置を動作させる事が可能となる。尚且つ、そのような効果を図りつつも、オペレータに対する操作性が低下するといった問題が生じる事を極力抑えた印刷環境が構築可能となる。特に、例えば、ＰＯＤ環境等の印刷環境にて、非常に種類が多い用紙タイプの中から、印刷に要する用紙をオペレータにより素早く選択可能となり、ユーザの利便性および作業効率を向上させることができる。このように様々な状況や利用環境を想定し、様々なユーザからの様々なニーズにも、極力柔軟に対応可能な仕組みが提供可能である。
【００６３】
冒頭から述べた上述の説明、及び、効果、その為の構成等は、以下に詳述する実施形態の全ての実施形態に共通する説明である。又、これらにまつわる各種の制御は、本実施形態の印刷装置自身が具備する制御部が主体となり行うものである。尚、本形態の以下の説明では、当該印刷装置の１例として、コピー機能及びプリント機能並びにボックス機能等の複数の機能を具備する複合機能型の印刷装置に相当するＭＦＰ（マルチファンクションペリフェラル）を例にあげ、説明する。又、以下の説明では「ＭＦＰ部」や「ＭＦＰ」と称しているが、これは、ＭＦＰを意味する。即ち、印刷装置を意味する。又、以下の説明では、カラー画像をプリント可能なカラーＭＦＰ、及び、カラー画像はプリント不可だが白黒画像はプリント可能な白黒ＭＦＰ、を含む、複数種類のＭＦＰを例示しているが、これら何れのタイプのＭＦＰでも本発明は適用可能である。又、以下の説明では、ＭＦＰを説明しているが、これ以外にも、プリント機能のみを具備する印刷装置、コピー機のみを具備する印刷装置等の単一機能型の印刷装置（ＳＦＰ：シングルファンクションペリフェラル）でも本発明は適用可能である。
【００６４】
［システム構成］
図１は、ディジタルプリントのシステム構成の一例を示すブロック図である。
【００６５】
ここには、ネットワーク１００に接続されたプリントサーバ１０１、クライアントＰＣ１０２、カラーＭＦＰ１０３及び白黒ＭＦＰ１０４がそれぞれ１つまたは複数個存在している。
【００６６】
プリントサーバ１０１は、２つの役割を持っている。１つ目はディジタルプリント部の外部と情報の送受であり、入稿されるジョブの画像情報や設定情報などは、まずプリントサーバ１０１に入力され、そのジョブが終了するとステータスなどの情報を外部に知らせる役割を持っている。もう１つはディジタルプリント部内部の管理制御である。外部から入力されたジョブ及び、ディジタルプリント部の内部で発生したジョブは、プリントサーバ１０１にて一元管理されている。これにより、ディジタルプリント部の内部にある全てのデバイスと全てのジョブの状況が監視できると共に、ジョブの一時停止、設定変更、印刷再開あるいは、ジョブの複製、移動、削除などの制御が行えるようになっている。
【００６７】
クライアントＰＣ１０２は、入力されたアプリケーションファイルの編集、印刷指示、あるいは、プリントレディファイルの投入の役割と、プリントサーバ内で管理されているデバイスやジョブの監視や制御の補佐する役割を持っている。本実施形態では、詳細には説明しないが、クライアントＰＣ１０２は、一般的なコンピュータと同様に、ＣＰＵ、ＲＯＭ，ＲＡＭ、ＨＤ、ディスプレイ、及び、キーボード、マウス等の入力デバイスを備えている。ディスプレイや入力デバイスはユーザインタフェース手段として機能し、ＣＰＵがＨＤやＲＯＭに格納され、ＲＡＭに展開されたプログラムを実行することによって、操作制御手段や制御手段として機能する。
【００６８】
カラーＭＦＰ１０３及び白黒ＭＦＰ１０４は、スキャン、プリント、コピーなど様々な機能を有する印刷装置であり、カラーＭＦＰ１０３と白黒ＭＦＰ１０４とでスピードやコストなどが異なるため、それぞれの用途に応じて使い分ける必要がある。
【００６９】
［ＭＦＰのブロック構成］
図２において、ＭＦＰ（Ｍｕｌｔｉ  Ｆｕｎｃｔｉｏｎ  Ｐｅｒｉｐｈｅｒａｌ：多機能周辺機器）の構成とフローについて説明する。ここでいうＭＦＰは、前述の図１のＭＦＰのうち、カラーＭＦＰ１０３でも、白黒ＭＦＰ１０４でも構わない。
【００７０】
スキャナ部２０１は、紙原稿などをスキャナなどの画像読み取り装置で読み取り、読み取られた画像データを入力処理する。
【００７１】
外部Ｉ/Ｆ部２０２は、ネットワークから入力した画像データ（主に、ＰＤＬデータ）をＲＩＰ（Raster Image Processor）展開してＭＦＲ制御部２０３に出力する。また、ＭＦＰ内部の画像データや装置情報をネットワーク経由で外部に送信する。ＭＦＰ制御部２０３は、入力されるデータや出力するデータを制御する交通整理の役割を果たしている。
【００７２】
また、ＭＦＰ制御部２０３は、入力された画像データを、一旦メモリ部２０９に格納する。格納された画像データは、一時的に格納されたり、必要に応じて呼び出されたりする。
【００７３】
画像処理部２０４は、メモリ部２０９から画像データを読出して、プリントするための画像処理を施し、プリンタ部２０５に送る。
【００７４】
プリンタ部２０５は、記録紙を給紙し、画像処理部２０４で処理された画像データをその記録紙上に順次印字していく。プリントアウトされた記録紙はシート処理装置２０６へ送り込まれ、記録紙の仕分け処理や記録紙の仕上げ処理が行われる。
【００７５】
更に、操作部２０７は、上記の様々なフローや機能を選択したり操作指示したりするためのものであるが、操作部２０７の表示装置の高解像度化に伴い、メモリ部２０９にある画像データをプレビューし、確認後ＯＫならばプリントするといった使い方もできる。
【００７６】
このように、ＭＦＰには様々な機能と利用方法があり、以下にその例を示す。
複写機能                ：スキャナ部→プリンタ部
ネットワークスキャン    ：スキャナ部→外部Ｉ/Ｆ部
ネットワークプリント    ：外部Ｉ/Ｆ部→プリンタ部
ボックススキャン機能    ：スキャナ部→メモリ部
ボックスプリント機能    ：メモリ部→プリンタ部
ボックス受信機能        ：外部Ｉ/Ｆ部→メモリ部
ボックス送信機能        ：メモリ部→外部Ｉ/Ｆ部
プレビュー機能  ：メモリ部→操作部。
【００７７】
［用紙情報のシステム構成］
図３により、用紙情報の送受の観点から見たシステム構成について説明する。ＭＦＰ１０３、１０４において、用紙情報に関係するのは、ＭＦＰ制御部２０３、操作部２０７、プリンタ部２０５、そして、用紙情報データベース部３０１（以後、用紙情報ＤＢと記す）である。
【００７８】
用紙情報ＤＢ部３０１は、前述のメモリ部２０９の中に存在し、用紙情報をデータベースとして登録している。
【００７９】
次に、印刷時には、クライアントＰＣ１０２からアプリケーション３０２を立ち上げて、ドライバ経由でプリント起動をかける。時には、ホットフォルダやジョブ投げ込みツールなどを利用して、直接ＭＦＰ１０３、１０４にジョブを投げ込む場合もある。ジョブの投入に際しては、まず、クライアントＰＣ１０２上でＭＦＰ１０３、１０４が持つ用紙情報を取得して、その用紙情報の中から所望の用紙情報を選択して、印刷指示をかけることとなる。
【００８０】
また、時には、ＭＦＰ１０３、１０４とは別に用意された外部コントローラ３０３を経由して、印刷指示される場合もある。
【００８１】
更に、用紙情報ＤＢ３０１の情報を書き換えて、登録したり、読み出したりするために、クライアントＰＣ１０２上で動作する専用アプリケーションが用いられる。特に、他システムとの用紙情報を交換する場合に用いられる。
【００８２】
［用紙情報を扱うフロー］
図４において、用紙情報を扱う場合の主なフローを示す。
【００８３】
用紙情報を扱うフローは、大きく分けて、以下の６つのフローに分類される。
１．用紙情報登録：用紙情報登録は、システム管理者がデバイスの操作部を利用して、新たな用紙情報を登録する工程である。
２．給紙段設定：給紙段設定は、各給紙段に対して、用紙情報を割り当てる工程である。オペレータは、稼動していない給紙段に対して、給紙段設定を行うことができる。
３．用紙情報管理：用紙情報管理は、初期登録されている用紙、あるいは、システム管理者が新たに登録した用紙に対して、固有の用紙ＩＤを割り当てて、用紙名称及び、用紙パラメータをデータベース化して管理する工程である。
４．用紙情報取得：用紙情報取得は、クライアントＰＣがドライバなどを利用して、用紙情報データベースの情報を吸い上げる工程である。
５．印刷指示：印刷指示は、クライアントＰＣがドライバなどを利用して、印刷起動をかける際に、用紙情報を指定する工程である。
６．読み出し/書き込み：読み出し/書き込みは、ＲＵＩなどを利用して、用紙情報データベースのデータをインポートまたは、エクスポートする工程である。
【００８４】
［用紙情報データベースの構造］
図５及び図６を用いて、用紙情報データベース３０１の構成について説明する。まず、図５の左側は、本実施形態の印刷システムの印刷装置（ＭＦＰとも呼んでいる）自身が具備するメモリ部２０９の構成を示したものである。メモリ部２０９は、一般にハードディスクで構成されていて、中にはＭＦＰ自体を動かす制御プログラム、画像領域（例えば、複写機能を利用する際の画像一次保管領域、ボックス機能を利用する際の画像保管領域など）が設けられている。またあるいは、リソース領域（例えば、画像合成などに用いるフォーム、ＰＤＬプリントに用いるフォントデータやカラープロファイル）などが設けられている。ここで、用紙情報データベース３０１は、Ｔｙｐｅ１，Ｔｙｐｅ２，Ｔｙｐｅ３共に、このリソース領域に格納されている。格納されている用紙情報データベース３０１は、図５の右側のように、用紙ＩＤ、用紙名称及び、用紙パラメータなどから成り立っている。
【００８５】
次に、図６のように、用紙ＩＤは、オリジナルＩＤ(Original ID)及び、ローカルＩＤ(Local ID)の２つから成っている。オリジナルＩＤとローカルＩＤを組み合わせて、ＩＤ番号を管理すれば、少なくとも１つのＭＦＰ内では固有なＩＤコード体系で管理することができる。もし、複数のＭＦＰ間でも統一したＩＤコード体系を考える場合は、上位の概念のＩＤを用意するか、運用で管理することができる。そして、このとき、Ｔｙｐｅ２の用紙ＩＤ番が分かれば、逆に、オリジナルＩＤから「元になった用紙タイプ」を表示させることも可能となる。
【００８６】
このとき、Ｔｙｐｅ１及びＴｙｐｅ３のオリジナルＩＤは、それぞれ固有の値で、ローカルＩＤは、全て０でデフォルト設定されている。Ｔｙｐｅ１とＴｙｐｅ３の区別に関しては、運用的に、例えば、Ｔｙｐｅ１＝００００Ｈ〜０ＦＦＦＨ、Ｔｙｐｅ３＝１０００Ｈ〜ＦＦＦＦＨといったように管理すれば良い。次に、Ｔｙｐｅ２を、Ｔｙｐｅ１（または、Ｔｙｐｅ３）の０００３Ｈ（オリジナルＩＤ）−００００Ｈ（ローカルＩＤ）から複製して作ったとする。０００３Ｈ−０００１Ｈ、−０００２Ｈ、・・・といった具合に、複製のたびに順次インクリメントして常にＩＤが重ならないようにしておく。あるいは、データベース内にある同じオリジナルＩＤのＴｙｐｅ２を検索して、ヒットした中で最も大きいローカルＩＤに１を足して、新たなＴｙｐｅ２のローカルＩＤを得るようにしてもよい。また、あるＩＤのＴｙｐｅ２を消去した場合でも、その番号を欠番にするなどしておけば、ＭＦＰ間で用紙情報をやり取りした場合でも、重ならないなど運用ルールもあわせて決めておく。
【００８７】
そして、用紙名称に関しては、Ｔｙｐｅ１の用紙名称は、「普通紙」、「厚紙１」、「再生紙」、「パンチ済み紙」、「ＯＨＰ」など一般的にオフィス環境で利用する名称である。Ｔｙｐｅ２の用紙名称は、所定の文字数の範囲内で、ユーザが自由に定義することができる。Ｔｙｐｅ３の表記は、「会社名称＋用紙名称＋坪量」といった具合に、予め重ならない名称を定義してデータベースに登録しておく。Ｔｙｐｅ１、Ｔｙｐｅ２及び、Ｔｙｐｅ３はいずれも、同じ長さの文字数制限を用意しておいて、登録の際にその長さ以下に抑えるようにする。
【００８８】
用紙パラメータは、基本パラメータと詳細パラメータを含む。基本パラメータとは、「坪量(紙の重さ)」、「表面性(紙の手触り感)」、「形状（パンチ済み用紙やタブ紙など）」あるいは、「色」のように用紙そのものが有する用紙情報パラメータである。一方、詳細パラメータは、「定着温度の調整」、「二次転写電圧の調整」、あるいは、「クリープ補正量の調整」といった具合に、その用紙情報の特性にあったデバイスの最適制御を行うための制御パラメータである。この詳細パラメータの値を変えることで、プリンタ部のプロセス条件を変更したり、画像の最適化や仕上がりの適正化をしたりすることができる。例えば、定着器の温度調整を変更することで、仕上がりの光沢調整で、グロス（てかてか）仕上げにしたり、マット（しっとり）仕上げにしたりすることができる。また、二次転写帯電器の転写電圧を調整することで、トナーの載り量を制御することができ、用紙の坪量や表面性に応じて、色の階調飛び、白抜けあるいは、かぶり、トナー飛散を抑えることができる。
【００８９】
更に、中綴じ製本時に内側の用紙と外側の用紙で小口側の飛び出し方が異なるため、断裁時に画像を切ってしまう恐れが出てくる。これを防ぐために内側の用紙と外側の用紙とで用紙と画像の位置関係を徐々にずらす操作をガターシフトと呼んでいる。このガターシフトにおける、各ページのズレ量がクリープ量である。このクリープ量は用紙の厚さ（あるいは、坪量）との相関関係が強いため、用紙の種類ごとに設定しておくと便利である。
【００９０】
［操作部の構成］
図７を用いて操作部について説明する。同図はＭＦＰの操作部２０７を表している。操作部２０７は、キー入力部７０１とタッチパネル部７０２を含む。タッチパネル部７０２は、ＬＣＤ（Liquid Crystal Display：液晶表示部）とその上に貼られた透明電極からなるタッチパネルディスプレイである。ＬＣＤに表示されるキー相当の部分の透明電極を指で触れると、それを検知して別の操作画面を表示するなど予めプログラムされている。図７は、例として、スタンバイモード時の初期画面を示しているが、設定操作に応じて様々な操作画面を表示することができる。
【００９１】
図８は、定常的な操作設定を行うことができるキー入力部７０１の拡大図である。
【００９２】
操作部電源スイッチ８０１は、スタンバイモード（通常動作状態）とスリープモードを切り替えるためのスイッチである。スリープモードにおいてメインコントローラは、ネットワークプリントやファクシミリなどに備えて割り込み待ち状態でプログラムを停止して、消費電力を抑える。この操作部電源スイッチ８０１は、システム全体の電源供給を行う主電源スイッチ（不図示）がＯＮの状態で制御できる。
【００９３】
節電キー８０２は、スタンバイモード時の定着器の制御温度を下げるためのキーである。節電キー８０２を押下して節電モードに移行すると、プリント可能な状態まで時間は要するが、消費電力を抑えることができる。節電率の設定により制御温度を下げることもできる。
【００９４】
スタートキー８０３は、コピーや送信などの開始を指示するキーであり、ストップキー８０４は、それを中断するキーである。
【００９５】
テンキー８０５は、各種設定の置数を行うためのキーであり、クリアキー８０６は、その置数を解除するためのキーである。ＩＤキー８０７は、ＭＦＰの操作者を認証するために、予め設定された暗証番号を入力させるためのキーである。
【００９６】
リセットキー８０８は、各種設定を無効にし、デフォルト状態に戻すためのキーである。ヘルプキー８０９は、ガイダンスやヘルプを表示させるためのキーであり、ユーザモードキー８１０は、ユーザごとのシステム設定画面に移行するためのキーである。
【００９７】
カウンタ確認キー８１１は、ＭＦＰ内に設けてあるプリント枚数などをカウントするソフトカウンタに記憶されている出力済み枚数を表示させるためのキーである。コピー／プリント／スキャン／ファックスなどの動作モード、カラー／白黒といった色モード、ラージ／スモールといった紙サイズなどに応じて、それぞれの出力済み枚数を表示させることができる。
【００９８】
画像コントラストダイヤル８１２は、タッチパネル部７０２の液晶表示のバックライトを調光するなどして、画面の見易さを調整するためのダイヤルである。
【００９９】
実行／メモリランプ８１３は、ジョブの実行中やメモリへのアクセス中に点滅して知らせるランプである。エラーランプ８１４は、ジョブの実行ができない場合やサービスマンコールなどのエラー、あるいは、ジャムや消耗品切れなどを知らせるオペレータコールなどの際に点滅して知らせるランプである。
【０１００】
［用紙選択のフロー］
次に、図９を用いて操作部について説明する。Ａ〜Ｉは、それぞれ操作部タッチパネルの表示を表しており、それぞれの画面内のタッチパネルキーを押下することで状態遷移する。それぞれの画面は、以下のような役割を果たし、用紙情報の表示や用紙情報の設定などに利用される。
Ａ：コピー基本画面
Ｂ：用紙選択
Ｃ：手差し用紙変更予約：用紙種類の選択
Ｄ：手差し用紙変更予約：用紙種類の選択/簡易設定
Ｅ：手差し用紙変更予約：用紙種類の選択/詳細設定
Ｆ：詳細情報
Ｇ：ユーザモード選択画面
Ｈ：ＩＤ入力画面
Ｉ：システム管理設定
Ｊ：メディア登録/編集画面
Ｋ：名称入力画面
Ｌ：エラー画面
Ｍ：メディア登録/編集画面(複製後)
Ｎ：メディア設定
Ｏ：詳細/編集：坪量
Ｐ：詳細/編集：表面性
Ｑ：詳細/編集：定着温度の調整
Ｒ：メディア設定：用紙情報データベース
Ｓ：手差し用紙変更予約：用紙種類の選択/詳細設定(設定後)。
【０１０１】
［コピー基本画面］
図１０を用いて、コピー基本画面の説明を行う。コピータブ１００１は、コピー動作の操作画面に遷移するためのタブキーであり、コピー（シンプル）とコピー（クイック）の２つ用意されている。
【０１０２】
コピー（クイック）タブは、ＰＯＤ環境の手馴れたオペレータなどが、浅い階層ですばやく、お決まりの設定が完了するようにたくさんのキーが配列されており、逆に、コピー（シンプル）タブは、通常のオフィス環境で利用されるキー配列である。
【０１０３】
送信タブ１００２は、ファックスやＥ−ｍａｉｌ送信などの送信（Ｓｅｎｄ）を指示する操作画面に遷移するためのタブキーである。ボックスタブ１００３は、ボックス（ユーザごとにジョブを格納する記憶手段）にジョブを入出力操作するための画面に遷移するためのタブキーである。オプションタブ１００４は、スキャナ設定など拡張機能を設定するためのタブキーであり、システムモニタキー１００５は、ＭＦＰの状態や状況を表示するためのキーであり、各タブを選択することで、それぞれの操作モードに遷移することができる。
【０１０４】
色選択設定キー１００６は、カラーコピー、白黒コピー、あるいは自動選択かを予め選択するためのキーであり、倍率設定キー１００７は、等倍、拡大、縮小などの倍率設定を行う画面に遷移するキーである。後処理設定キー１００８はステープルやパンチなどの有無、個数、位置などを設定する画面に遷移するキー、両面設定キー１００９は、片面印刷か両面印刷かを選択する画面に遷移するキーである。用紙選択キー１０１０は、給紙段や紙サイズ、メディアタイプを選択する画面に遷移するキー、画像モード設定キー１０１１は、文字モードや写真モードなど原稿画像に適した画像モードを選択するためのキーである。濃度設定キー１０１２は、出力画像を濃くしたり薄くしたり調整するためのキーである。
【０１０５】
次に、ステータス表示部１０１３は、スタンバイ状態、ウォームアップ中、ジャム、エラー等の簡易的な状態表示を行う表示部である。倍率表示部１０１４は、倍率設定キーで設定された倍率を表示し、用紙サイズ表示部１０１５は、用紙選択キーで設定された紙サイズやモードを表示する。枚数表示部１０１６は、テンキーで指定された枚数を表示したり、動作中に何枚目を印刷中かを表示したりする。
【０１０６】
更に、割り込みキー１０１７は、コピー動作中に別のジョブを割り込ませる場合に利用する。応用モードキー１０１８は、ページ連写、表紙・合紙設定、縮小レイアウト、画像移動など様々な画像処理やレイアウトなどの設定を行う画面に遷移するためのキーである。
【０１０７】
［用紙の選択設定画面］
次に、図１１から図１７において、印刷装置の印刷設定における記録紙つまり用紙の選択設定に関する画面について説明する。まず、図１０の用紙選択キー１０１０をクリックして、図１１に遷移する。ここで図１１は、用紙選択のメイン画面である。
【０１０８】
自動用紙選択ボタン１１０１は、画像形成に関する用紙以外の設定情報から、最適な用紙サイズおよびタイプを自動的に選択して印刷をさせたい場合に指定する。
【０１０９】
給紙段指定ボタン１１０２は、各給紙段に相当するボタンであり、これらのボタンのいずれかを指定することで、その給紙段からの記録紙の給紙を指定する。
【０１１０】
手差し給紙ボタン１１０３は、本体側面の手差しトレイからの給紙を指定する。
【０１１１】
更に、手差し用紙変更予約ボタン１１０４に関して、手差しトレイでは、用紙の切り替えが容易であるため、普段はあまり使用されない種類の記録紙を一時的に使用する場合に使用されることが多い。連続して印刷ジョブを投入する場合に、現在の印刷ジョブが使用している手差し用紙を後から変更して印刷を行う場合や、設定を先に行った後に記録紙を手差しにセットする場合などにこの手差し用紙変更予約ボタン１１０４を指定する。
【０１１２】
次に、図１１の手差し用紙変更予約ボタン１１０４を指定したとき、図１２の手差し用紙変更予約：用紙種類の選択の画面に遷移する。
【０１１３】
ユーザは、ここで手差し用紙トレイに設置して印刷を行う記録紙の用紙サイズおよび用紙タイプの情報を設定する。
【０１１４】
ここでは、用紙のサイズを指定するボタン類１２０１が並んでいる。ボタン上には、用紙サイズとその向きを示す文字およびアイコンが表示されている。
【０１１５】
ユーザは、この中から所望の用紙サイズを選択することができる。
【０１１６】
特殊な用紙サイズを指定する場合には、規定のサイズではなく、ユーザが長さをmmやインチで指定するユーザ設定サイズボタン１２０２を選択する。封筒ボタン１２０３は、封筒やはがきのサイズを指定するためのものである。
【０１１７】
インチサイズへと書かれたキー１２０４は、用紙サイズの指定を、ＩＳＯで規定されたＡ系、Ｂ系のサイズ表示と、英米欧州などで使用されるインチを基にしたサイズ表示とを切り替えるためのボタンである。設定取消キー１２０５は、用紙の設定を取り消し、用紙設定画面を閉じるためのボタンである。戻るキー１２０６は、図１１の給紙段による用紙選択画面に戻るためのボタンである。
【０１１８】
次へキー１２０７は、この画面における用紙サイズの設定を確定して、次に設定する用紙タイプの設定画面に移動するためのボタンである。ユーザは、図１２に示した手差し用紙トレイに設定する記録の用紙サイズを選択した後、次へキーを指示して、次に用紙タイプの選択を行う。
【０１１９】
図１３は、図１２において次へボタンを指定したときに表示される画面である。
【０１２０】
ここには、「普通紙」、「厚紙１」、「再生紙」、「パンチ済み紙」、「ＯＨＰ」といったＴｙｐｅ１用紙のボタン類が並んでいる。また、ボタン上には、用紙タイプを示す文字およびアイコンが表示されている。そして、ユーザは、これらのボタンのいずれかから所望の用紙タイプを選択することができる。
【０１２１】
ここで表示される用紙タイプ選択ボタンは、予め決められた個数しか表示されないため、通常は、使用する頻度の高い用紙タイプのみが表示される。しかし、用紙タイプは、坪量や光沢、表面処理の違いなどから数百〜数千もの種類が存在するため、この画面では表示しきれないものも数多く存在する。
【０１２２】
そのため、詳細設定画面ボタン１３０１が用意されている。このボタンが指定されると、用紙タイプの選択における詳細一覧画面が表示される。
【０１２３】
設定取消キー１３０２は、前述同様に、用紙の設定を取り消し、用紙設定画面を閉じるためのボタンである。戻るキー１３０３は、用紙サイズの選択画面に戻るためのボタンである。次へキー１３０４は、ＯＫボタンである。用紙タイプに関する設定を確定し、この画面を閉じるためのボタンである。
【０１２４】
図１４は、図１３において詳細設定画面ボタンを指定したときに表示される画面である。この画面は、図１３で示した画面と同じく用紙タイプを選択するための画面である。
【０１２５】
しかし、図１３で示した画面が用紙タイプを選択するボタンを配置しているのに対して、図１４で示した用紙タイプ選択画面では、用紙タイプをリスト状に一覧表示してそこから選択させる。
【０１２６】
同図の右側にある上矢印キー１４０１、下矢印キー１４０２は、用紙タイプ一覧リストのページ送りボタン類である。用紙タイプが用紙タイプ一覧リストにおいて１ページに表示しきれない場合、前後のページを表示させるときに指定する。用紙タイプは、数百〜数千種類に及ぶ場合があるので、ページ数もかなり多くなる可能性がある。その場合を考慮して、用紙タイプ一覧リストの先頭ページを表示させるためのボタン１４０３や最終ページを表示させるためのボタン１４０４も存在する。
【０１２７】
再び、図１３に戻るには、簡易設定画面ボタン１４０５を利用する。これにより、ユーザは、予め指定した用紙タイプのみを表示する簡易設定画面か、全ての用紙タイプを表示可能な一覧表示画面を表示するかを自由に変更することが可能となる。
【０１２８】
詳細情報キー１４０６を指定すると、図１5のように、用紙タイプ一覧リストにおいて、現在選択されている用紙タイプの詳細情報を表示する画面を表示する。詳細情報画面に表示される用紙タイプの情報は、名称の全文、坪量の他に、表面性、形状などが表示される。
【０１２９】
設定取消キー１４０７は、用紙の設定を取り消し、用紙設定画面を閉じるためのボタン。戻るキー１４０８は、図１２の用紙サイズの選択画面に戻るためのボタン。そして、ＯＫキー１４０９は、用紙タイプに関する設定を確定し、この画面を閉じるためのボタンである。
【０１３０】
図１６は、図１４と同じ図であるが、それぞれの詳細を示した図である。まず、用紙タイプ一覧リストをソートしたい場合には、右上のリストのソート指定キー１６０１を利用する。このボタンを指定すると、用紙タイプ一覧リストにおける各用紙タイプの表示順を、何によって並び替えるかを指示することができる。このリストに表示された中から１つのソート順を選択することで、図１４に示した用紙タイプ一覧リストの用紙タイプの表示順が、選択したソート順に切り替わる。ソート順選択リストに表示されるソート順には、登録順、名称の５０音（アルファベットの場合はＡＢＣ）順、坪量の数値順などがある。ソート順選択リストは、ソート順を指定すると自動的に閉じる。
【０１３１】
次に、左上のフィルタ指定キー１６０２は、表示する用紙タイプの種類を選択するフィルタ指定ボタンである。このボタンを指定すると、用紙タイプの種別を指定することができ、指定した種別の用紙タイプのみが用紙タイプ一覧リストに表示され、ユーザはその中から所望の用紙タイプを選択することができる。用紙タイプの種別としては、機器が予め登録している用紙タイプか、ユーザが自身で登録した用紙タイプかどうかなどが指定できる。
【０１３２】
更に、ここでは、用紙タイプの種別を示すアイコン、用紙タイプの名称および坪量がリスト１６０３上に表示される。ユーザは、ここに表示された用紙タイプの中から、所望の用紙タイプを指定する。図１６のように、用紙タイプのアイコンは、Ｔｙｐｅ１、Ｔｙｐｅ２あるいは、Ｔｙｐｅ３で区別されている。しかし、その区別は、Ｔｙｐｅ１または、Ｔｙｐｅ２だけとして、Ｔｙｐｅ３のデータは、一度Ｔｙｐｅ２に複製したものだけを表示しても構わない。以後の説明では、Ｔｙｐｅ１及び、Ｔｙｐｅ２のみを表示するケースに関して説明する。
【０１３３】
［給紙段情報の構造］
ここで、図１７を使って、給紙段情報の構造を説明しておく。給紙段情報は、印刷装置に用意された給紙段、即ち、カセット、ペーパーデッキあるいは、手差しトレイなどと連携した用紙情報である。
【０１３４】
図１７の表にあるとおり、それぞれの給紙段と、用紙サイズあるいは、用紙タイプが関連付けされたテーブルである。用紙サイズや用紙タイプに関しては、操作部などから予め登録されたもので、用紙タイプとしては、前述の用紙情報データベースの情報が扱われる。
【０１３５】
ここで扱われる給紙段情報は、図１１で選ばれた給紙段に対して、図１２で用紙サイズが選ばれて、図１３または、図１４で用紙タイプと関連付けされることで、図１７のような給紙段情報のテーブルを得ることができる。
【０１３６】
［用紙情報の登録と編集］
次に、図１８〜図３０を利用して、用紙情報の登録と編集のフローに関して説明する。まず、用紙情報を登録したり、編集したりしたい場合には、図８のユーザモードキー８１０を押す。すると、図１８のような画面が現れる。ここで、システム管理設定キー１８０１を押す。このとき、操作者に対して、システム管理者（あるいは、オペレータ）権限の有無の確認を行う。なぜなら、用紙情報には、用紙名称の他に、用紙のパラメータを入力したり、編集したりできるからである。前述したとおり、もし、印刷の機能設定とそれを実現可能な用紙タイプの種類を考慮せずに用紙タイプを選択した場合、印刷自体が正しく行われないだけでなく、機器の耐久性低下や破損などの可能性も考えられる。そのため、図１９のようなシステム管理者権限のあるユーザであるかどうかを確かめた上で、次の図２０に遷移する。ここで、いくつかあるシステム管理者権限のキーから用紙種類の管理設定キーを押す。
【０１３７】
図２１は、用紙情報のリスト表示、リストのフィルタ機能、及び、リストのソート機能に関しては、図１４と同じであるが、下部キー配置が異なっている。まず、複製キー２１０１を押すと、図２２が現れて、用紙名称を入力することとなる。ここでは、「普通紙」という用紙情報を複製して、「普通紙の属性変更」という用紙情報を作成している例を示す。このとき、文字数は予め決められた文字数で制限されている。
【０１３８】
ここで、ＯＫキー２２０１を押すと、用紙名称の入力は完了し、図２４のリスト表示のように、「普通紙の属性変更」という用紙情報が新たに現れる。しかし、例えば、「普通紙の複製」という既に存在する用紙名称を入力して、ＯＫキーを押そうとすると、図２３のような画面が現れて、操作者はその名称を登録することができない。そのため、データベース上のＴｙｐｅ２同士は、すべて異なる名前で登録され、ユーザが用紙を選択するのに混乱することはなくなる。
【０１３９】
本実施形態では、Ｔｙｐｅ２同士の同じ用紙名称を排他する例を示しているが、前述のように用紙ＩＤもユニーク性を保っているため、同じ名称の登録を許すシステムを組むことも可能である。逆に、Ｔｙｐｅ３からＴｙｐｅ２に複製して新たな用紙登録を行う場合、本件では、Ｔｙｐｅ２とＴｙｐｅ３が同じ名称に設定できることを許しているが、Ｔｙｐｅ１、Ｔｙｐｅ２、Ｔｙｐｅ３通してすべてユニークな名称を付けて区別しても良い。
【０１４０】
再び、図２４に戻って、消去キーは、登録したＴｙｐｅ２用紙をデータベースから消去するためのキーである。これを押すことで、図２１に登録した「普通紙の属性変更」を削除して、元の図２１に戻すことができる。
【０１４１】
更に、詳細/編集キー２４０２は、それぞれの用紙情報のパラメータ設定を行うことができる。このキーを押すと、図２５に遷移して、用紙名称を初めとして、坪量、表面性、形状、色あるいは、定着温度の調整、二次転写電圧の調整、クリープ補正量の調整などのパラメータを変更することができる。
【０１４２】
ここで、図２５の右側にある登録２５０１または、変更キー２５０２を押すことで、用紙名称を再度設定しなおしたり、各パラメータを変更したりすることができる。例えば、坪量の変更キーを押すと図２６、表面性の変更キーを押すと図２７、定着温度の調整の変更キーを押すと図２８といった具合である。図２６は、定義されている坪量がｇｓｍ（グラム／平方メーター）で表示され、所定の下限値から上限値までプラス（＋）キーとマイナス（−）キーで変更できる。図８のテンキーでも入力可能である。変更値を入力できたら、ＯＫキーを押す。キャンセルキーで変更せずに前の図２５に戻ることもできる。
【０１４３】
同様に、表面性の変更の場合には、図２７のように、予め用意された表面性（プリンタが対応可能なもののみ表示される。）キーから所望の表面性を選択することができる。更に、定着温度の調整の変更の場合は、坪量同様に、所定の下限値から上限値までプラス（＋）キーとマイナス（−）キーで変更できる。設定値に関しては、後述する。
【０１４４】
再び、図２４に戻って用紙情報ＤＢ（データベース）キー２４０３を押すと、このＭＦＰに予め登録されている用紙情報データベース３０１を呼び出すことができる。用紙情報データベース３０１の一例を図２９に示す。用紙情報データベース３０１の内容を表示するリスト２９０１には、用紙ＩＤ、用紙名称、及び、坪量が表示されている。即ち、操作部２０７は、用紙情報データベース３０１に含まれる、数百〜数千ある用紙情報をリスト形式で表示する。右側の上下キーは、そのリストのスクロール用のキーである。左下の用紙ＩＤ入力キーは、図８のテンキーを利用して、用紙ＩＤを指定するためのものである。テンキーで入力することで、予めＩＤの分かっている用紙情報を即座に見つけたり、該等番号の用紙ＩＤ周辺のＴｙｐｅ３データベースにジャンプしたりすることができる。右隣の詳細情報キーは、選択された用紙情報の詳細情報を閲覧するためのもので、図１５のような詳細情報を見ることができる。キャンセルキーは、図２４に戻るためのキーであり、登録キーは、選ばれたＴｙｐｅ３の用紙情報を新たにＴｙｐｅ２用紙として登録することができる。このとき、選ばれたＴｙｐｅ３用紙情報の名称が、Ｔｙｐｅ２に登録されていなければ、そのままの名称で登録することができる。
【０１４５】
用紙情報が新たに登録されると、図２４に遷移する。ここで閉じるキーを押すことで、用紙種類の管理設定作業は一旦終了する。ここで、再び図１４の用紙設定画面に戻ると、図３０のように「普通紙の属性変更」３００１という新たな用紙が追加されている。ここで、出来上がった「普通紙の属性変更」３００１という新たな用紙を選択して、前述図１４で説明したときと同じような操作で「普通紙の属性変更」３００１という新たな用紙の属性でコピー動作などを行うことができる。更に、この際に、後述の図５１または、図５３のように「普通紙の属性変更」という用紙が新たに追加されて、その属性情報に従って、印刷が行われる。
【０１４６】
［用紙の基本パラメータの範囲］
ここで、図３１を使って、用紙情報の範囲を説明しておく。図３１は、用紙の基本パラメータを整理した表である。ＭＦＰで扱われる用紙は、「坪量」、「表面性」、及び、「形状」で分類することができる。そして、その分類された範囲の中でＭＦＰのプロセス条件を規定して動作させている。
【０１４７】
ここで、従来は、予め決められた範囲の「普通紙」、「厚紙１」、「再生紙」、「パンチ済み紙」、「ＯＨＰ」といった用紙グループの範囲でのみ用紙タイプが定義されていて、その与えられた範囲で、ユーザは、所望の用紙タイプを選択していた。その範囲は、図３１のグレーの背景部分のような範囲であった。
【０１４８】
それに対して、上記で説明した用紙情報の設定手段で操作を行うと、「坪量」、「表面性」、及び、「形状」の組合せで自由に表現できる。このため、その設定範囲は、同図のグレー部分に限らず、そのデバイスが許容する「坪量」、「表面性」、及び、「形状」の範囲で選択することができることとなる。そのため、対応できる用紙タイプの範囲は格段に広がることとなる。
【０１４９】
更に、従来のＴｙｐｅ１とＴｙｐｅ３に関しても、パラメータの範囲に対する考え方が異なってくる。即ち、図３２のように、従来のＴｙｐｅ１は、ある幅を持ったいわば用紙グループの範囲だったものに対して、Ｔｙｐｅ３は、用紙自体を個々に登録されている。当然その坪量なども用紙そのものが持っている坪量のピンポイントの値で表されることとなる。そのため、必然的にＴｙｐｅ２もピンポイント値で表さざるを得なくなる。また、Ｔｙｐｅ１から複製してＴｙｐｅ２用紙を作った場合でも、複製元のＴｙｐｅ１用紙の中央値や代表値を代用して、複製先のＴｙｐｅ２用紙の坪量として、パラメータ設定してあげることになる。
【０１５０】
［用紙の詳細パラメータの範囲］
次に、詳細パラメータの範囲も、図３２の１つ１つの範囲ごとに詳細パラメータを与えることができるため、その最適化制御の幅も格段に広がることとなる。パラメータ変更に際しては、次のような数式で表されている。
【０１５１】
パラメータ  ＝  デフォルト値  ±α  ±β・・・・・・・・数式１
ここで、デフォルト値は、ＭＦＰ自身が持つ最適値（あるいは、代表値）である。次に、αは、用紙グループが有する最適値（あるいは、代表値）である。ここでいう用紙グループとは、図３１の表の「坪量」、「表面性」、及び、「形状」の組合せで一意に決まるもので、表の１マスに対して、１つずつのαの値を持っている。更に、βは、用紙ごとの微調整のための値であり、用紙情報データベースの１つずつがそれぞれ適正値を持つことができる。
【０１５２】
例えば、定着温度の調整を例にする。いま、デフォルト値を１８０℃に設定する。そして、「薄紙」は−３℃、「普通紙」は０℃、「厚紙１」は２℃、「厚紙２」は４℃、「厚紙３」は５℃といった具合にαの値を設定してＭＦＰ内部に保持しておく。更に、βは、図２８のように設定するが、たとえシステム管理者であっても温度記載ではその効果が分からないため、ここでは−１０〜＋１０という設定で入力させる。設定された温度は、例えば、βの下限値が−２℃、βの上限値が＋２℃の間であった場合、０．２℃刻みで設定できるというわけである。これにより、Ｔｙｐｅ２の用紙は、その固有最適値を用紙情報データベースごとに覚えておくことができる。
【０１５３】
また、α、βの２つに制御値を分けている理由は、図２６の表の「坪量」、「表面性」、及び、「形状」の組合せで決まる用紙グループのα値だけでも、ある程度最適値をユーザに提供するためである。更に、詳細に調整したいユーザは、β値を使って詳細設定ができるという二段階で提供したいためである。
【０１５４】
数式１で表されるパラメータがどんな値であったとしても、そのパラメータが原因で、ＭＦＰに対して、ジャムやエラーを引き起こしたり、トナー飛散や載り量制限オーバーなど画像不良を招いたりすることがないように、αやβの値は規定されている。
【０１５５】
［用紙情報データベースの中身］
図５０〜図５３において、用紙情報データベース３０１の中身の説明を行う。ここで、図５０は、Ｔｙｐｅ１用紙の用紙情報データベース３０１の内容の一例である。図５１は、Ｔｙｐｅ２用紙の用紙情報データベース３０１の内容の一例である。図５２は、Ｔｙｐｅ３用紙の用紙情報データベース３０１の内容の一例である。そして、図５３は、操作部に表示されているＴｙｐｅ１及び、Ｔｙｐｅ２用紙の用紙情報データベース３０１の内容の一例を表している。
【０１５６】
例えば、Ｔｙｐｅ１の普通紙は、坪量＝８０〜１０５ｇｓｍ（代表値として８０ｇｓｍでもよい）、表面性＝上質紙、形状＝標準、色＝白、定着温度＝１８０℃、定着速度＝２４０ｍｍ／ｓｅｃ、二次転写電圧＝１．０ＫＶ、クリープ量＝０．１０ｍｍ、である。
【０１５７】
このテーブルは、Ｔｙｐｅ１、Ｔｙｐｅ２及び、Ｔｙｐｅ３別々にデータ保存されていて、図５０〜図５２のそれぞれが相当する。
【０１５８】
また、図５３は、操作部２０７がリスト表示した部分のデータを抜き出して記載したものである。このとき、用紙のタイプは、Ｔｙｐｅ１とＴｙｐｅ２が混在していることがわかる。そして、図１４の時点では、用紙情報データベース３０１になかった「普通紙の属性変更」という用紙が、図３０までいった時点で新たに用紙情報データベース３０１に追加される。
【０１５９】
図５０〜５３に示すテーブルでは、説明をしやすくするために、数式１に示される計算を行った後のパラメータの値で管理されている例で示している。しかし操作部入力（β値）だけをデータベース管理して、ＭＦＰ内部で予め決められたデフォルト値のテーブル、あるいは、用紙ごとのα値のテーブルを呼び出して逐次計算しても構わない。
【０１６０】
［プリントのフロー］
プリントのフローについて、図３３を用いて説明する。まず、左側がクライアントＰＣ１０２部、右側がＭＦＰ１０３、１０４である。クライアントＰＣ１０２上には、プリンタドライバ３３０１がインストールされている。アプリケーションソフト３３０１を立ち上げて、そこからプリンタドライバを起動する。ユーザは、所望のプリント設定を行った上で印刷指示をかける。この指示に従って、プリンタ部２０５は印刷を開始する。これが通常のプリントフローである。
【０１６１】
さて、従来の用紙タイプ（Ｔｙｐｅ１）で印刷指示をかけるには、上記の方法で問題ない。というのは、プリンタドライバ３３０１自身が、全ての用紙タイプ（Ｔｙｐｅ１）の情報を持っているからである。しかしながら、本件で設定したいのは、Ｔｙｐｅ２の用紙である。そのため、ＭＦＰ１０３、１０４側で設定登録した用紙情報をデータベース３０１からクライアントＰＣ１０２側に吸い上げなければいけない。そのため、プリンタドライバ３３０１には、用紙情報取得機能３３０２が必要である。
【０１６２】
用紙情報取得機能３３０２は、ポーリングであっても、イベントドリブンであっても構わない。しかし、通常、クライアントＰＣは複数台用意されている。特にオフィス環境であれば、数百台のクライアントＰＣから１つのＭＦＰに接続されている場合も少なくない。もし、このときポーリングで接続されていると、ＭＦＰ側は、各クライアントＰＣのそれぞれのポーリング要求に応えなければいけないため、全体系を考える上で適切な方法ではないと思われる。そのため、イベントドリブンの系で考える。用紙情報は、それほど頻繁に追加や編集が行われる機能ではないため、通例、ＭＦＰまたは、クライアントＰＣのセットアップ時やアップデート時に行っておけば、十分利用できると想定されるからである。
【０１６３】
また、用紙情報取得機能３３０２によって得られる用紙タイプは、Ｔｙｐｅ１、Ｔｙｐｅ２及び、Ｔｙｐｅ３どれも技術的には可能だが、一般的に考えて、Ｔｙｐｅ１は最初からドライバ側で持っていることが必要である。というのは、用紙情報取得機能３３０２は、ＭＦＰと接続してはじめて有効になるため、最初から何も用紙情報が表示されないドライバであってはユーザの操作性がよくないからである。次に、Ｔｙｐｅ３は、数百〜数千あるため、データベースの吸い上げに時間がかかることと、吸い上げても表示すると煩雑かつ表示しきれないといった問題が起こるため、これまた適切ではない。そのため、Ｔｙｐｅ２の情報のみ吸い上げるのが賢明であろう。ここで吸い上げたＴｙｐｅ２の用紙情報は、プリンタドライバ側で保存しておく。次にプリンタドライバを開いたときに、すぐに利用できることと、毎回用紙情報を吸い上げることでネットワーク負荷が上がることを防ぐためである。
【０１６４】
すると、プリンタドライバは、用紙情報として、Ｔｙｐｅ１情報とＴｙｐｅ２情報の両方を表示することができる。ユーザは、その中から所望の用紙情報を選択設定して、印刷指示をかけるという流れになる。
【０１６５】
ここでは、プリンタドライバの例で紹介したが、この仕組みを応用すれば、アプリケーションソフトウェアや、ユーティリティソフトウェアでも適用可能である。すなわち、用紙情報取得機能をソフトウェアモジュールとして、アプリケーションソフトウェアや、ユーティリティソフトウェアに搭載すれば、用紙情報がＭＦＰ側から入手可能である。これを利用して、印刷指示をかける際に、入手した用紙情報を使えば、プリンタドライバ同様に指定が可能である。また、印刷指示は何もプロトコルに限ったわけではない。ＪＤＦ（Job Difinition Format）のようにファイル化されたジョブチケットデータを、画像データと一緒にＭＦＰ側に送信して、ＭＦＰ側でそのＪＤＦファイルを解釈できれば、用紙情報をＭＦＰでのプリントの際に反映できる。
【０１６６】
［プリンタドライバの設定画面］
次に、図３４を使って、プリンタドライバのＵＩ（設定画面）について説明する。プリンタドライバの設定画面は、作業者がＭＦＰ等のプリントデバイスに印刷データを印刷する場合に、一般的に印刷アプリケーションの印刷メニューを選択することにより表示される。
【０１６７】
まず作業者は、この設定画面の「プリンタ名」プルダウンリストボックス３４０１により、使用するプリントデバイスを選択する。すると、「状態」３４０２にプリントデバイスの状態が、「種類」３４０３にプリンタドライバの種類が、「場所」３４０４にプリントデバイスの設置場所情報が、「コメント」３４０５にプリントデバイス管理者からのコメント情報が表示される。印刷データをプリントデバイスに印刷せずにファイルに出力したい場合は、「ファイルへ出力」チェックボックス３４０６を選択状態にする。
【０１６８】
「印刷範囲」３４０７では、「全て」「現在のページ」「選択したページ」「ページ指定」のいずれかをラジオボタンで選択することにより、印刷したいページを指定する。「ページ指定」を選択した場合は、エディットボックスに印刷したいページ番号を入力する。
【０１６９】
さらに「印刷対象」プルダウンリストボックス３４０８により、印刷対象となる文書の属性を選択し、「印刷指定」プルダウンリストボックス３４０９により、全てのページを印刷するのか、奇数あるいは偶数ページだけを印刷するのかを指定する。
【０１７０】
「印刷部数」３４１０では、「部数」スピンボックスに印刷したい部数を入力するとともに、複数部数をページ単位ではなく部単位で印刷する場合は、「部単位で印刷」チェックボックスを選択状態にする。
【０１７１】
「拡大／縮小」３４１１では、「１枚あたりのページ数」プルダウンリストボックスにより、Ｎ−ｕｐ印刷（１つの印刷面に複数ページをレイアウトする印刷）を指定する。そして、「用紙サイズの指定」プルダウンリストボックスにより、原稿サイズに対する用紙サイズを選択する。
【０１７２】
作業者がプリンタドライバの設定画面の設定を終了したならば、「ＯＫ」ボタン３４１２を押下することにより、印刷データをＭＦＰ等のプリントデバイスに印刷したり、ファイルに出力したりすることができる。印刷やファイル出力を止める場合は、「キャンセル」ボタン３４１３を押下すればよい。
【０１７３】
このとき、「プロパティ」ボタン３４１４を押下すると、画面は、図３５に遷移して、さらに詳細な印刷属性を設定することができる。同図の左上には、４つのタブ、即ち、ページ設定タブ、仕上げタブ、給紙タブ、及び、印刷品質タブが用意されており、ここでは、用紙情報の設定に関係の深い給紙タブ３５０１を使って説明する。
【０１７４】
右上側には、「用紙の指定方法」３５０２があって、「給紙部で設定」を選択すると、カセット３やデッキ１といった給紙段の位置で設定することとなる。このとき、給紙される用紙のサイズやタイプには依存せず、与えられた給紙段に入っている用紙を使ってプリントがなされる。次に、「用紙タイプで指定」が選択された場合、Ｔｙｐｅ１およびＴｙｐｅ２の用紙情報が選択可能となる。用紙情報の選択は、給紙方法にある各ページの「設定」ボタン３５０３を押下したときに表示される用紙設定ダイアログで行う。用紙設定ダイアログの一例を図３６に示す。この用紙設定ダイアログは、Ｔｙｐｅ１とＴｙｐｅ２の用紙の属性を用紙タイプリスト３６０１としてリスト表示する。なお、ここで用紙タイプとして表示され、印刷用紙として選択可能となるＴｙｐｅ１の用紙は、図３８に示す「給紙方法と用紙の割り当てダイアログ」の用紙タイプリストボックス３８０１で選択したものである。ユーザは用紙設定ダイヤログの用紙タイプリスト３６０１から使用したい用紙を選択する。ちなみに、ＭＦＰ側で登録した「普通紙の属性変更」もここで参照できる。
【０１７５】
この用紙設定ダイアログで表示される項目は、用紙名称、タイプ、坪量、紙の色、表面性、形状である。用紙名称は、Ｔｙｐｅ１の場合は予め用意されており、Ｔｙｐｅ２の場合はＭＦＰ側で登録された名称が表示される。タイプは、Ｔｙｐｅ１または、Ｔｙｐｅ２の種別、坪量はｇｓｍ表記である。なお、Ｔｙｐｅ１の場合は、ＭＦＰ固有の坪量の範囲(Ｘｇｓｍ〜Ｙｇｓｍ)としてもよいし、同図のように代表値で表記しても良い。紙の色は、赤、青、緑などＭＦＰ側で登録されたもの。同様に、表面性は、上質紙、再生紙、片面コート、両面コート、エンボス、べラム、フィルム、ラベルなど。形状は、ノーマル、タブ紙、パンチ済み紙などいずれもＭＦＰ側で設定登録されたものが表示される。
【０１７６】
ここで、右下の「用紙情報取得」ボタンがクリックされると、前述の用紙情報取得機能が作動する。取得する情報はＴｙｐｅ２の用紙情報データベース、及び、給紙段テーブル(給紙段にセットされている用紙情報)である。この動作は、プリンタプロパティのデバイス設定シート図３７にてユーザが「デバイス情報取得」ボタン３７０１を押下したタイミングでも動作する。
【０１７７】
更に、図３７の右下側の「給紙方法と用紙の割り当て」キー３７０２をクリックすると、図３８の「給紙方法と用紙の割り当て」画面が開く。プリンタドライバで使用する給紙部情報と用紙タイプの関係に関しては、この「給紙方法と用紙の割り当て」ダイアログで選択されているものを使用可能とする。Ｔｙｐｅ２について取得した用紙情報はこのダイアログでは表示しない。
【０１７８】
さて、再び、図３５に戻って、給紙方法の各ページの設定において、「最終のページ」の設定をＴｙｐｅ２にした場合を考える。もし、「最終のページ」の設定として、「普通紙の属性変更」という用紙を設定したならば、図３９のように「普通紙の属性変更」という表記３９０１がここにも現れる。このとき、選択されている用紙タイプ名称をテキストボックスで表示するに当たって、名称の最大長を表示しきれない場合には、テキストボックスにマウスカーソルを当てたときに、ツールチップを利用して、フル名称を表示する。また、図４０に示すように、デバイスプレビューの給紙段にマウスカーソルを合わせると、用紙サイズ、用紙タイプ及び、用紙残量を表示する。
【０１７９】
［プリンタ部の構成］
ＭＦＰのプリンタ部の構成について、図４１を用いて説明する。ＭＦＰは、スキャナ部、レーザ露光部、感光ドラム、作像部４１０１、定着部４１０２、給紙／搬送部及び、これらを制御する不図示のプリンタ制御部から構成される。
【０１８０】
スキャナ部は、原稿台に置かれた原稿に対して、照明を当てて原稿画像を光学的に読み取り、その像を電気信号に変換して画像データを作成する。レーザ露光部は、前記画像データに応じて変調されたレーザ光などの光線を等角速度で回転する回転多面鏡（ポリゴンミラー）に入射させ、反射走査光として感光ドラムに照射する。
【０１８１】
作像部４１０１は、感光ドラムを回転駆動し、帯電器によって帯電させ、前記レーザ露光部によって感光ドラム上に形成された潜像に対し、トナーによって現像化し、そのトナー像を記録紙に転写する、一連の電子写真プロセスを実行する。
【０１８２】
定着部４１０２は、ローラやベルトの組み合わせによって構成され、ハロゲンヒータなどの熱源を内蔵し、前記作像部によってトナー像が転写された記録紙上のトナーを、熱と圧力によって溶解、定着させる。
【０１８３】
給紙／搬送部は、カセットやペーパーデッキに代表される記録紙収納庫を一つ以上持っており、前記プリンタ制御部の指示に応じて記録紙収納庫に収納された複数の記録紙の中から一枚分離し、作像部・定着部へ搬送する。記録紙の両面に画像形成する場合は、定着部を通過した記録紙を再度作像部へ搬送する搬送経路を通るように制御する。
【０１８４】
プリンタ制御部は、ＭＦＰ全体を制御するＭＦＰ制御部と通信して、その指示に応じて制御を実行すると共に、前述のスキャナ、レーザ露光、作像、定着、給紙／搬送の各部の状態を管理しながら、全体が調和を保って円滑に動作できるよう指示を行う。
【０１８５】
［プリンタ制御部の動作］
次に、プリンタ制御部に関して説明する。まず、電源が投入されると、プリンタ制御部はスキャナ部、レーザ露光部、作像部、定着部、給紙／搬送部に対して準備動作の開始を指示するとともに、ＭＦＰ全体を管理するＭＦＰ制御部との通信開始を待つ。ＭＦＰ制御部との通信が確立すると、お互いの機器仕様のやりとりを行う。その後、各部の準備動作が終了し、画像形成動作が可能になると、動作可能状態であることをＭＦＰ制御部に通知する。プリンタ制御部は、ＭＦＰ制御部に対し、各部の機器状態を通知するが、その一例を挙げる。まず、給紙／搬送部は、収納庫に格納された記録紙のサイズ、収納庫に格納された記録紙の残量（積載量）、駆動部の動作状態（動作可能であるか、故障中であるか）を検知して、通知する。次に作像部は、トナー収容容器に収納されたトナーの量を通知する。
【０１８６】
次に、動作開始可能状態において動作指示がＭＦＰ制御部２０３から通知され、一連のプリント動作を実行して終了するまでの各部の動作概要を説明する。まず、ＭＦＰ制御部２０３は、動作開始コマンドをプリンタ制御部へ通知する。プリンタ制御部は、動作開始コマンドを受信すると、レーザ露光部、作像部、給紙搬送部、定着部４１０２へプリント動作開始を指示する。レーザ露光部は、ポリゴンミラーを駆動するモータ（ポリゴンモータ）の回転を開始する。作像部は感光ドラムを回転駆動し、感光ドラムを帯電する。定着部は定着ヒータをオンし、記録紙上のトナーが記録紙に定着可能な温度に上昇させる。給紙／搬送部は、駆動手段（モータ）を搬送可能な状態とする。装置各部の動作準備が整うと、プリンタ制御部は、ＭＦＰ制御部に対し、準備完了を通知する。ＭＦＰ制御部２０３は、プリント制御部からの準備完了通知を受信すると、次にページ単位でプリント動作を指示する。
【０１８７】
ＭＦＰ制御部は、例えば１０ページ、２０部のプリントジョブであれば、これを２００ページのプリント動作指示を出す。プリント制御部は、プリント動作指示を受信すると、給紙／搬送部へ、給紙指示を出す。給紙／搬送部は、記録紙が給紙可能であれば、記録紙を１枚給紙、搬送し、記録紙が所定の位置に到達した時にプリント制御部へ所定位置到達を通知する。収納庫に記録紙がない場合など、給紙不可能であれば、給紙不可をプリント制御部へ通知する。また、給紙／搬送部は、搬送経路上に記録紙が重なった状態（重送状態）で搬送されていることを検知する、重送検知センサや、記録紙の厚みを検知する厚さ検知センサなどを持つことがある。これらのセンサが重送や異常状態を検知すると、給紙／搬送手段は、給紙動作、搬送動作を中断し、プリント制御部へ異常を通知する。プリント制御部は、その場合、ＭＦＰ制御部２０３へ動作中断の理由、装置内に残留している記録紙の位置などを通知する。記録紙が正常に搬送され、所定位置に到達した場合、プリント制御部は、給紙／搬送部から記録紙の所定位置到達通知に応じて作像部へ作像開始を指示する。このタイミング制御によって、記録紙上にトナー像が転写される。
【０１８８】
定着部４１０２は定着部４１０２の温度を監視し、適切な定着温度になるよう制御しているが、記録紙が定着部４１０２より奪う熱量が大きい場合、定着部の温度が低下する場合がある。この場合、定着部４１０２はプリント制御部へ定着部の温度低下を通知するが、この通知を受けて、プリント制御部は記録紙の搬送間隔を空け、定着部がこれ以上温度低下しないようにする。それでも定着部４１０２の温度が復帰しない場合、一旦動作を中断し、温度が復帰後、動作を再開する制御を行う。プリント制御部は、全ての記録紙の排出が完了すると、動作停止を各部へ指示し、各部からの動作停止通知を受け、ＭＦＰ制御部へ動作終了を通知する。
【０１８９】
［作像部の構成］
図４２は４ドラム系印刷装置の１つの作像系４１０１を抜き出したものである。この作像系が各色（Ｃｙａｎ、Ｍａｇｅｎｔａ、Ｙｅｌｌｏｗ、Ｂｌａｃｋ）用意されている。出力指示情報に伴い、感光ドラムが右回り方向に回転する。クリーナユニットから順次説明を行う。
【０１９０】
クリーナユニットは、感光ドラムに付着しているトナーを回収し、ドラム表面を清掃する。前露光ＬＥＤは感光ドラムの残留電荷を消去するために使用される。一次帯電器は、グリッドと呼ばれる放電装置を有し、ドラム表面電位を規定状態にする。電位センサはレーザで照射された部分（Ｖｌ）や露光されない一次帯電電位（Ｖｄ）の表面電位を測定する。電源ＯＮ後、一定枚数出力時などのタイミングで表面電位を測定し、適宜レーザの光量、帯電バイアス、現像バイアスなどを変更する。現像器は潜像部にトナー像を形成する。その後、所定のタイミングで給紙搬送され、転写帯電器で静電転写され、次の色（最終色であれば定着器）へと進む。４色転写された転写紙は、不図示の定着装置に送られて加圧及び加熱されてトナー像が定着された後に本体の外に排出される。
【０１９１】
前述の図５０〜図５３の用紙情報データベースの二次転写電圧の調整の値に従って、二次転写帯電器に与える電圧が制御される。二次転写帯電器の転写電圧を調整することで、トナーの載り量を制御することができ、用紙の坪量や表面性に応じて、色の階調飛び、白抜けあるいは、かぶり、トナー飛散を抑えたりすることができる。
【０１９２】
［定着部の構成］
図４３はカラー機の定着部４１０２構成を示す概略図である。搬送ガイドを通過した記録媒体は、定着部に搬送される。定着部はトナー像を加熱加圧定着し記録媒体に固着させる。定着部の構成は、定着部は回転自在に配置された定着ローラと、この定着ローラに圧接しながら回転体する加圧ローラと、オイル塗布装置、クリーニング装置を備えている。定着ローラならびに加圧ローラの内部には、ハロゲンランプなどのヒータが配置されている。クリーニング装置により定着ローラ上にオフセットしたトナーなどをクリーニングするとともに、オイル塗布装置により、離型剤であるシリコンオイルなどを定着ローラに塗布する。オイル塗布装置によって定着ローラからの記録媒体の分離の容易化を図るとともに、クリーニング装置によってトナーのオフセットの防止が図られている。
【０１９３】
図４４は記録媒体が定着部を通過する様子を示した図である。定着器は上側に定着ローラ、下側に加圧ローラという回転自在に配置されたローラによって記録媒体を加熱加圧定着し、トナー像を固着させる。記録媒体はローラの中央付近を通過する。
【０１９４】
図４５は定着部の安全装置構成を示す回路図である。定着部は、記録媒体を加熱加圧定着させる定着ローラと加圧ローラ、ならびにオフセットしたトナーなどを清掃するクリーニング装置で構成される。各ローラにはハロゲンランプなどのヒータが配置されている。
【０１９５】
安全装置内部の構成は、各ローラの中央と単部に接しているサーミスタ、さらには非接触タイプのサーモスイッチが配置されている。比較器は端部単独、中央部単独、中央と端部の比較が可能な構成になっており、その比較結果をＣＰＵに通知する。ＣＰＵは比較器の出力に応じて、ヒータの点灯条件の制御、端部昇温などのエラー検知、ダウンシーケンス突入タイミング制御等に使用する。サーモスイッチは、ＣＰＵとは独立のハードスイッチで規定の温度以上にローラ温度が上昇したとき、電源をシャットダウンする。
【０１９６】
さて、ここで前述の操作部より用紙単位で入力される定着温度の調整は、上記定着器に与える温度を制御することである。実際には、サーミスタの温度に応じた可変抵抗特性を利用して、その電圧値をＡ／Ｄ変換して得られたデジタル的な電圧値から定着温度を予測してハロゲンランプをＯＮ/ＯＦＦすることで、所望の温度に近づける制御を行っている。
【０１９７】
このとき、図５０〜図５３の用紙情報データベースの定着温度の調整値に従って、温度を調整することで、仕上がりの光沢調整を行うことができる。即ち、グロス（てかてか）仕上げにしたり、マット（しっとり）仕上げにしたりすることができるわけである。
【０１９８】
また、通過する際の速度も同様に図５０〜図５３の用紙情報データベースの定着速度の調整の値に従って、速度制御されている。例えば、普通紙の場合は、２４０ｍｍ／ｓｅｃ、即ち、Ａ４（紙送り方向長さ２１０ｍｍ）で、紙間３０ｍｍだった場合、１分間に６０枚流れるため、６０ｐｐｍ（Ｐｒｉｎｔ  Ｐｅｒ  Ｍｉｎｉｔｅ）相当の速度で出力される。両面コート紙の場合には、１８０ｍｍ／ｓｅｃだったならば、同様に、４５ｐｐｍ相当となる。両面コート紙の場合には、熱量が奪われやすいため、よりゆっくりした速度で定着させた方が、高品質な出力が得られるためである。
【０１９９】
［中綴じ製本部の構成］
図４６は、中綴じ製本部の構成を示す断面図である。中綴じ製本部には、サンプルトレイ、スタックトレイ及び、ブックレットトレイが設けられており、ジョブの種類や排出される記録紙の枚数に応じて切り替えられる。
【０２００】
出力すべきジョブに対してステープルモードが設定されている場合には、スタックトレイに排出するよう制御する。その際には、記録紙がスタックトレイに排出される前に、記録紙をジョブ毎に中綴じ製本部の内部の処理トレイに順次蓄えておき、該処理トレイ上にてステープラにてバインドして、その上で、スタックトレイへ、該記録紙束を束排出する。
【０２０１】
その他、紙をＺ字状に折るためのＺ折り機、ファイル用の２つ（または３つ）の穴開けを行うパンチャがあり、ジョブの種類に応じてそれぞれの処理を行う。例えば、出力すべきジョブに対する記録紙処理に関する設定としてユーザにより操作部を介してＺ折り処理設定がなされた場合には、そのジョブの記録紙に対してＺ折り機により折り処理を実行させる。その上で、機内を通過させて、スタックトレイ及びサンプルトレイ等の排出トレイに排紙するよう制御する。又、例えば、出力すべきジョブに対する記録紙処理に関する設定としてユーザにより操作部を介してパンチ処理設定がなされた場合には、そのジョブの記録紙に対してパンチャによるパンチ処理を実行させる。その上で、機内を通過させて、スタックトレイ及びサンプルトレイ等の排出トレイに排紙するよう制御する。
【０２０２】
さらに、サドルステッチャ部は、記録紙の中央部分を２ヶ所バインドした後に、記録紙の中央部分をローラに噛ませることにより記録紙を半折りし、パンフレットのようなブックレットを作成する中綴じ製本処理を行う。サドルステッチャ部で製本された記録紙は、ブックレットトレイに排出される。当該サドルステッチによる製本処理等の記録紙処理動作の実行可否も、上述の如く、出力すべきジョブに対してユーザにより設定された記録紙処理設定に基づく。
【０２０３】
また、インサータはインサートトレイにセットされた記録紙をプリンタへ通さずにスタックトレイ及びサンプルトレイ等の排出トレイのいずれかに送るためのものである。これによって中綴じ製本部に送り込まれる記録紙（プリンタ部で印刷された記録紙）と記録紙の間にインサータにセットされた記録紙をインサート（中差し）することができる。インサータのインサートトレイにはユーザによりフェイスアップの状態でセットされるものとし、ピックアップローラにより最上部の記録紙から順に給送する。
【０２０４】
従って、インサータからの記録紙はそのままスタックトレイまたはサンプルトレイへ搬送することによりフェイスダウン状態で排出される。サドルステッチャへ送るときには、一度パンチャ側へ送り込んだ後スイッチバックさせて送り込むことによりフェースの向きを合わせる。尚、当該インサータによる記録紙挿入処理等の記録紙処理動作の実行可否も、上述の如く、出力すべきジョブに対してユーザにより設定された記録紙処理設定に基づく。
【０２０５】
［断裁部の構成］
引き続き、図４６を用いて、トリマ（裁断）部の構成について説明する。中綴じ製本部においてブックレット（中綴じの小冊子）となった出力は、このトリマに入ってくる。その際に、まず、ブックレットの出力は、ローラで予め決められた長さ分だけ紙送りされ、カッタ部にて予め決められた長さだけ切断され、ブックレット内の複数ページ間でばらばらになっていた端部がきれいに揃えられることとなる。そして、ブックレットホールド部に格納される。尚、当該トリマによる断裁処理等の記録紙処理動作の実行可否も、上述の如く、出力すべきジョブに対してユーザにより設定された記録紙処理設定に基づく。
【０２０６】
［ガターシフトとクリープ量の調整］
図４７を用いて、ガターシフトとクリープ量の調整について説明する。中綴じ製本を行う場合には、内側の用紙と外側の用紙で小口側の飛び出し方が異なる。この現象は、ページ数が多い場合、厚い用紙を利用した場合に顕著に現れる。このとき、断裁面をサドル側に近づけると、断裁時に画像を切ってしまう恐れが出てくる。これを防ぐために内側の用紙と外側の用紙とで用紙と画像の位置関係を徐々にずらす操作を「ガターシフト」と呼んでいる。このガターシフトにおける、各ページのズレ量がクリープ量である。このクリープ量は用紙の厚さ（あるいは、坪量）との相関関係が強いため、用紙の種類ごとに設定しておくと便利である。一番外側の用紙は、予め決められた画像位置に印刷される。これを基準に、操作部から入力したクリープ量の調整分（０．０１ｍｍ単位入力可能）だけ徐々にページ単位で用紙と画像の位置関係を内側のページほど所定のクリープ量分だけサドル側にずらしていく。
【０２０７】
その際にも、図５０〜図５３の用紙情報データベースのクリープ量の調整の値に従って、断裁がなされる。ただし、数式１に従って、例えば、普通紙の場合、α＝０．１０ｍｍ、厚紙１はα＝０．２０ｍｍ、厚紙２はα＝０．３０ｍｍなどのように変化する。このとき、「普通紙の属性変更」という用紙でβ＝−０．０１ｍｍが設定されていると、クリープ量の調整値は、数式１に従って、クリープ量の調整値＝デフォルト値（０．００ｍｍ）＋α（０．１０ｍｍ）＋β（−０．０１ｍｍ）である。このため、Ｔｙｐｅ２テーブルには、０．０９ｍｍと記載されていて、この数値に従って、断裁量が設定される。
【０２０８】
［自動給紙段選択］
自動給紙段選択(オートカセットチェンジ)とは、プリンタのある給紙段から給紙を行い、印刷を行っている時に、プリンタ側で給紙段の用紙残量がある既定値以下になったことを検出して、自動的に給紙段を変更して、印刷を継続する機能である。自動給紙段選択の対象となる給紙段は以下の条件で選択される。
＊出力しようとしている用紙サイズと等しいこと。（但しオート回転がＯＮになっていても、回転された用紙サイズは選択しない。）
＊ユーザが、予めモード設定を行って、自動給紙段選択の対象の給紙段として設定されていること。
＊ユーザが、予めモード設定を行って、自動給紙段選択の設定により以下のように給紙段の選択が行われる。
【０２０９】
このとき、図１８のユーザモードから共通仕様設定に入り、カセットオート選択のＯＮ/ＯＦＦ（不図示）を選択すると、コピー、プリントなどＭＦＰのそれぞれの機能ごとに自動給紙段選択のＯＮ/ＯＦＦを予め設定しておくことができる。図４８は、コピー時の自動給紙段選択のＯＮ/ＯＦＦを選ぶ一例である。このとき、各給紙段を選択して、ＯＮ/ＯＦＦを切り替えることで、自動給紙段選択の有効と無効を切り替えるのである。更に右側にある「用紙の種類を考慮する」というキーは、他の用紙種類であっても、自動切換えを行うか否かの設定をできるものである。これを設定すれば、Ｔｙｐｅ１、Ｔｙｐｅ２、あるいは、Ｔｙｐｅ３の用紙種類に係わらず、用紙の自動給紙段選択の機能が有効になる。
【０２１０】
［自動用紙選択］
自動用紙選択(オートペーパーセレクト)とは、図１０のように用紙サイズ表示に「自動用紙」が選択されていた場合に、セットされた原稿サイズ、選択された倍率によって、最適な用紙（または、給紙段）を自動選択する。最適とは（原稿サイズ×倍率）を上回る、最小定型サイズをいう。また、プリンタドライバから、出力用紙サイズを自動として出力した場合に、プリンタの給紙段から最適な用紙を自動選択してくれる機能である。
【０２１１】
このときも、基本的には、自動給紙段選択と同様に、「用紙の種類を考慮する」というキーでの設定に従って動作する。しかし、図４９のように、普通紙と再生紙は「用紙の種類を考慮する」のＯＮ/ＯＦＦにかかわらず、自動用紙選択は行ってもいいが、一般に厚紙やＯＨＰに対しては、行ってほしくない場合が多いため、この表に従って自動用紙選択が行われる。
【０２１２】
更に、Ｔｙｐｅ２用紙の場合は、坪量、表面性、形状の値から図３１のような分類を導き出して、その用紙タイプの○×に従って自動用紙選択を行う。
【０２１３】
＜他の例＞
次に、上述してきた本実施形態において、ダイアログなどの変形例について説明する。図５４は、図２９の他の例を示したものである。図５４の左側の用紙情報リスト「メディアテーブル」５４０１がＴｙｐｅ３を表している。一方、右側の用紙情報リスト「用紙タイプ」５４０２がＴｙｐｅ２を表している。更に、左側の「メディアテーブル」５４０１から任意の用紙情報（複数選択可）を選択して、同図中央部の追加キーで右側の「用紙タイプ」５４０２に追加できる。
【０２１４】
図５５は、図１６で示した用紙設定ダイアログにおいて、選択候補用紙リスト１６０３内に表示されるアイコンの他の例を示したものである。
【０２１５】
Ｔｙｐｅ２の作成元を更に詳細に分類してもよい。Ｔｙｐｅ１からの複製、Ｔｙｐｅ１からの属性変更、Ｔｙｐｅ２からの複製、Ｔｙｐｅ２からの属性変更、Ｔｙｐｅ３からの複製、Ｔｙｐｅ３からの属性変更といった具合に、登録時にその作成元を分類して、パラメータに記載してもよい。それに応じて、表示アイコンを変えて表示すればよい。また、図１６のプルダウンボタン内項目の表示のためのフィルタもこれに応じて追加していくことで、どの用紙種別かの判別を明確化できる。
【０２１６】
このとき、用紙情報データベースの中は、図５６のように管理されている。即ち、図５１に示したＴｙｐｅ２テーブルに、複製元というパラメータが加わって、どの用紙タイプから複製されたものかが判明できる仕組みになっている。図５７は、図５５の更なる派生系である。
【０２１７】
ＭＦＰを利用する際に、誰が利用するかＩＤやパスワード管理されている使い方は一般に知られている。画面的には、図１９のように行う。ここでは、システム管理者だけで無く、一般のオペレータが個別のＩＤを持っていて、そのＩＤで個々にログインするような形式で扱われる。さて、ここで入力したＩＤを利用して、オペレータ各人がそれぞれ作成したＴｙｐｅ２の用紙をそれぞれ個別に利用する場合、あるいは、オペレータ全員が共通に利用する場合が考えられる。そのため、誰が作成したＴｙｐｅ２用紙であるかをあらかじめパラメータに記憶させておき、それに応じて、図５７のようなアイコンを作って区別する。また、同様にプルダウンボタン内項目の表示のためのフィルタも有効にして、自分で登録した用紙、共通に使用する用紙を切り替えて表示させれば、より操作性が良くなる。
【０２１８】
このとき、用紙情報データベースの中は、図５８のように管理されている。即ち、図５１に示したＴｙｐｅ２テーブルに、複製者というパラメータが加わって、誰が作成したものかが判明できる仕組みになっている。
【０２１９】
以上説明してきた実施形態の印刷システムの概要について纏めると以下のようになる。印刷装置としてのＭＦＰ１０２、１０３を含む、図１に示すような印刷システムにおいて、記憶手段としてのメモリ部２０９には、用紙の属性情報が予め記憶されている。ＭＦＰ１０２は、操作制御手段としての操作部２０７を備えており、操作部２０７は、用紙の属性情報の複製又は変更を、ユーザにより実行可能とする。ユーザは、ユーザインターフェイス手段としてのキー入力部７０１やタッチパネル部７０２、或いはクライアントＰＣのディスプレイ、キーボード、マウスなどを介して、その複製又は変更を行なう。
【０２２０】
また、ＭＦＰ１０２、１０３は、制御手段としてのＭＦＰ制御部２０３を有する。ＭＦＰ制御部２０３は、メモリ部２０９に予め属性情報が記憶されている用紙を用いた印刷処理を、プリント部２０５により実行させる場合、その用紙の属性情報に基いた印刷処理条件で、プリント部２０５を動作させる。つまり、ユーザから、用紙を指定した印刷指示が入力されると、ＭＦＰ制御部２０３は、指定された用紙の属性情報がメモリ部２０９に格納されているか判定し、格納されていれば、その属性情報を用いて、プリント部２０５に印刷させる。操作部２０７は、ＭＦＰ１０２、１０３による印刷に要する用紙をユーザが選択する際に、属性情報のユーザ登録がユーザにより実行済みの用紙を、選択可能にする。
【０２２１】
次に、上述の実施形態に係る印刷システムに対する操作の具体例をいくつか説明する。尚、以下の例示の具体例１及び具体例２は、本形態の印刷装置が具備する操作部２０７を介して、処理対象となる印刷ジョブの印刷実行要求及び各種印刷処理条件を、オペレータから受け付ける場合の具体例である。故に、当然、具体例１及び具体例２で説明する構成や動作に関する制御は、全て、本形態の印刷装置自身が具備する制御部が実行するものである。
【０２２２】
一方、以下の例示の具体例３及び具体例４は、本形態の印刷装置とデータ通信可能な遠隔のホストコンピュータのＵＩ部を介して、処理対象となる印刷ジョブの印刷実行要求及び各種印刷処理条件を、オペレータから受け付ける場合の具体例である。故に、具体例３及び具体例４で説明する構成や動作に関する制御は、以下に例示する各種ＵＩ画面を表示する表示部を具備するホストコンピュータの制御部が、主体となり、行うものである。但し、勿論、本形態の印刷装置自身が具備する制御部も協働して、以下に例示の具体例３や４の制御を実行する。例えば、ホストからの要求に応じた各種動作（データの返信やその後の印刷要求を受付けた場合の動作等）を、印刷装置側にて実行させるが、この際の動作の制御の主体は、ホストの制御部ではなく、印刷装置側の制御部が実行するものとする。
【０２２３】
以上の説明を踏まえた、本実施形態の特徴点の具体例を４つ以下に例示する。
【０２２４】
［具体例１］
オペレータが、用紙登録を行った用紙を用いて、手差しからコピーを行う場合について説明する。図１０の操作画面から用紙選択キーを押す。すると、画面は、図１１に遷移する。ここで、例えば、手差しを選択する。続いて、画面は図１２に移行し、例えば、サイズとしてＡ４用紙を選択して、「次へ」ボタンを押す。このとき、画面は図１３に遷移する。更に、「詳細設定へ」キーをクリックすると、図１４の画面に移行する。ここで、予め登録した「普通紙の複製」の用紙を選択する。
【０２２５】
ここで、「普通紙の複製」という用紙は、Ｔｙｐｅ２相当の用紙であり、もともと、Ｔｙｐｅ１として存在する「普通紙」という用紙から、図２１の「複製」キーを利用して、図２２で名称を変更して登録したものである。
【０２２６】
図１４に戻って、「普通紙の複製」の用紙を選択した後、「ＯＫ」キーを押す。すると、再び図１１に戻り、ここで「閉じる」キーを押すと、さらに、図１０に戻ることとなる。
【０２２７】
このとき、中央部に書かれた「自動用紙」という文字は、図５９のように、「手差し」の給紙段アイコンと、用紙種類のアイコンと、用紙サイズ「Ａ４」という表記に書き換えられる。
【０２２８】
そして、原稿を図４１のスキャナ部の原稿台において、図８のスタートキーを押下すると、コピー動作が開始する。コピー動作は、もちろん指定した「手差し」からの用紙を給紙して行われる。
【０２２９】
コピーに際しては、図５３のテーブルの「普通紙の複製」の用紙の項目を参照して、定着温度の調整、定着速度の調整、二次転写電圧の調整、クリープ量の調整、あるいは、それ以外の各種設定条件などを反映して、プリント出力が得られる。
【０２３０】
ここでは、「普通紙の複製」の用紙は、「普通紙」の各種設定条件をそのまま複製したものであり、Ｔｙｐｅ１の「普通紙」でコピーする場合と、全く同じ印刷条件でコピー動作を行う。
【０２３１】
具体的には、定着温度の調整は、サーミスタを利用してハロゲンランプのＯＮ/ＯＦＦを行うことで、用紙が定着器を通過する際の温度が１８０℃になるように制御される。更に、定着器を通過する際の定着速度が２４０mm/secになるように搬送速度が制御される。また、二次転写部の電圧の調整値は１．００ＫＶが与えられるように電圧値に制御する。そして、クリープ量の調整値は、断裁機の断裁量が０．１０mmとなるように設定される。
【０２３２】
実際に手差しに普通紙あるいは、普通紙として扱う用紙が積載されていた場合、それを給紙して、普通紙をコピーしたときと同等の品位で「普通紙の複製」用紙を出力させることができる。
【０２３３】
［具体例２］
次に、前述の通り、図１８〜図３０の手順で、「普通紙」の属性変更を行って、新たに「普通紙の属性変更」という用紙を予め登録しておく。登録に際しては、名称変更だけでなく、そのパラメータ変更もなされて登録されている。
【０２３４】
そして、オペレータは、手差し以外のある給紙段に対して、この「普通紙の属性変更」という用紙の関連付けを行い、その給紙段を選択して、コピーを行う場合について考える。
【０２３５】
まず、オペレータは、図８の「ユーザモードキー」を押して、ユーザモード画面図１８に入る。ここで、「共通仕様設定」キーを押して、図６０の共通仕様設定画面から、まず、「用紙サイズ／種類の登録」キーを押す。画面は、図６１に遷移して、ここで登録したい給紙段、例えば「給紙段３」を選択すると、更に、画面は、図１２となり、所望の紙サイズ、例えば、「Ａ３」を選択する。「次へ」キーを押すと、図１３に遷移して、ここで、「詳細設定へ」キーをクリックすると、図３０の画面に移行する。ここで、予め登録した「普通紙の属性変更」の用紙を選択する。
【０２３６】
ここで、「ＯＫ」キーをクリックすると、再び図１１に戻り、ここで「閉じる」キーを押すと、さらに、図１０に戻ることとなる。このとき、中央部に書かれた「自動用紙」という文字は、図６２のように、「給紙段３」に相当するアイコンと、用紙残量を示すアイコンと、用紙種類のアイコンと、用紙サイズ「Ａ３」という表記に書き換えられている。
【０２３７】
そして、原稿を図４１のスキャナ部の原稿台において、図８のスタートキーを押下すると、コピー動作が開始する。コピー動作は、もちろん指定した「給紙段３」からの用紙を給紙して行われる。
【０２３８】
また、コピーに際しては、図５３のテーブルの「普通紙の属性変更」の用紙の項目を参照して、定着温度の調整、定着速度の調整、二次転写電圧の調整、クリープ量の調整、あるいは、それ以外の各種設定条件などを反映して、プリント出力が得られる。
【０２３９】
具体的には、「普通紙の属性変更」の用紙の場合、定着温度の調整は、サーミスタを利用してハロゲンランプのＯＮ/ＯＦＦを行うことで、用紙が定着器を通過する際の温度が１７９℃になるように制御される。一般に、厚い紙ほど奪われる温度が大きいため、定着器の制御としては厚い紙はより高い温度設定、薄い紙はより低い温度設定が必要となる。更に、コート紙や特殊紙では、その用紙の特性に応じて個々の設定が必要になる。ここで、普通紙は、８０〜１０５ｇｓｍを総称して普通紙というグループで表現されている。このとき、実際の定着器の温度は、その平均値（または、その代表値や中央値）を使って表現せざるを得ない。例えば、平均値を使って９２．５ｇｓｍを想定して定義されているわけである。それに対して、「普通紙の属性変更」用紙は、実際の値が９０ｇｓｍと、９２．５ｇｓｍ（普通紙の平均値）に比べてやや薄いため、定着温度を心持ち低く設定した方が、より適切な定着温度として定義できる。例えば、８０ｇｓｍ紙が最適温度１７６℃で、１０５ｇｓｍが最適温度１８４℃の場合に、平均として９２．５ｇｓｍ紙を想定して、最適温度を１８０℃と設定していたわけである。これに対して、Ｔｙｐｅ２または、Ｔｙｐｅ３の用紙では、９０ｇｓｍというピンポイントでの用紙設定ができるため、１７９℃というピンポイントの温度設定ができるため、その用紙に対して最適な定着状態を与えることができる。
【０２４０】
更に、定着器を通過する際の用紙の定着搬送速度が２３５mm/secになるように制御される。一般に、定着搬送速度が、遅いほど光沢（グロス）仕上げとなり、速いほどしっとり（マット）仕上げになる。そのため、同じ普通紙であっても、この定着速度を調整することで仕上げ具合を異なるように設定できる。従って、普通紙の場合に、２４０mm/secで搬送されていたものを、２３５mm/secで搬送すると、少しグロス仕上げで出力される。この制御は、トナーに対してより多くの熱量を加えると、よくトナーが溶けて仕上がりの状況としてより光沢性を増して見えることを利用したものである。熱量を加える手段として、定着搬送速度のスピード差だけでなく、前述同様に定着温度の高さや、あるいは、定着回数を変えることで制御してもよい。
【０２４１】
次に、二次転写部の電圧の調整値は０．９５ＫＶが与えられるように電圧値に制御する。転写電圧は、図４２の感光ドラムから記録用紙、あるいは、感光ドラムから中間転写体などを媒体として記録用紙にトナーを転写するため、トナーを引き付ける力の強弱に利用される。そのため、この値が大きいと必要以上にトナーを引き寄せるため、トナーのかぶりや飛散を招き、小さいと十分に転写が行われないため、同一濃度なのに白く抜けが発生したり、濃度の逆転といった転写抜け現象が起こる。この転写電圧の強弱は、紙の厚さにも影響しており、厚い紙ほど強い電圧をかけないと十分な転写作業ができないこととなる。そのため、普通紙（坪量の平均値：９２．５ｇｓｍ）に対して、「普通紙の属性変更」用紙は、坪量が９０ｇｓｍであるため、二次転写部の電圧は、普通紙の１．００ＫＶよりやや低めの０．９５ＫＶにすると適正な転写具合の画像を得ることができる。
【０２４２】
そして、クリープ量の調整値は、断裁機の断裁量が０．０９mmとなるように設定される仕組みになっている。一般に、紙の厚さが増すと、中綴じ製本時のガターシフト量が大きくなり、その分だけ断裁量を多くする必要がある。しかし、その弊害として、用紙に対する画像の位置を常に同じようにすると、断裁時に内側の用紙の画像まで断裁してしまう恐れが出てくる。そのため、外側の用紙を基準として、内側の用紙の面付け位置を徐々に内側にシフトして配置してあげる必要が出てくる。そのシフト量がクリープ値であって、その調整量が０．０９ｍｍである。平均坪量９２．５ｇｓｍの普通紙が０．１０ｍｍに対して、それよりも若干薄い９０ｇｓｍの「普通紙の属性変更」用紙は、０．０９ｍｍと定義して、徐々に画像シフトを行えば、中綴じ製本時の仕上がり具合が適切な状態に仕上げることができる。
【０２４３】
［具体例３］
一方、プリント動作に関しては、「普通紙の複製」用紙を登録後に、ＭＦＰの手差しに、「普通紙の複製」に相当する用紙を入れて、［具体例１］と同様に、手差しトレイに対して、給紙段登録、即ち、手差しトレイと「普通紙の複製」の用紙の関連付けも行う。
【０２４４】
ここで、クライアントＰＣ上でアプリケーションから［ファイル］→［印刷］でプリンタドライバ図３４を呼び出して、プロパティキーをクリックする。現れた図３５の画面で、「用紙の指定方法」において、「用紙タイプで指定」を選択する。次に、給紙方法で、例えば、最初のページを「普通紙の複製」用紙を給紙することを想定して変更する。最初のページの右側にある設定ボタンをクリックして、図６３を呼び出して、「普通紙の複製」を選択すると、図６４のような表示となるので、ここで、ＯＫキーをクリックする。そうすると、アプリケーション上の画像データとプリンタドライバで設定した所望の設定情報が、ＭＦＰに送られる。これらを受け取ったＭＦＰは、「普通紙の複製」という用紙タイプを用紙ＩＤまたは、用紙名称から解読し、図５３のテーブルを参照して、その用紙情報を引き出す。すると、コピー動作と同様に定着温度の調整、定着速度の調整、二次転写電圧の調整、クリープ量の調整、それ以外の各種設定条件などを反映する。そして、予め手差しトレイに設定した「普通紙の複製」に相当する用紙を給紙して、適切なプリント出力が得られる。
【０２４５】
［具体例４］
［具体例３］を実行後、新たに「普通紙の属性変更」用紙を登録する場合を考える。ＭＦＰ側で操作パネルを利用して「普通紙の属性変更」用紙を登録しても、すぐにはプリンタドライバに反映されるわけではない。
【０２４６】
プリンタドライバ側に反映させるためには、まず、プリンタドライバで「用紙情報取得」を行う必要がある。これは、まず、プリンタドライバのプロパティ画面のデバイス設定シート図３７を呼び出して、下側の「デバイス情報取得」キーをクリックして、少なくとも「普通紙の属性変更」用紙をクライアントＰＣ上のプリンタドライバに読み込む必要がある。この動作は、ＭＦＰ側で新たに用意を新規登録または、編集を行って、新たにその登録（または、編集）を行った用紙をプリンタドライバ上で利用したい場合に、その都度行うこととなる。
【０２４７】
さて、ここで、クライアントＰＣ上でアプリケーションソフトウェアから［ファイル］→［印刷］でプリンタドライバ図３４を呼び出して、プロパティキーをクリックする。現れた図３５の画面で、用紙の指定方法において、用紙タイプで指定を選択する。次に、給紙方法で所望のページのところで、設定をクリックして、図３６を呼び出すと、新たに「普通紙の属性変更」が追加されていることがわかる。これを選択すると、図３９のような表示となるので、ここで、ＯＫキーをクリックすると、再び、図３４に戻って、更に、ＯＫキーをクリックすると、アプリケーション上の画像データとプリンタドライバで設定した所望の設定情報が、ＭＦＰに送られる。
【０２４８】
このとき、ＭＦＰ側では、任意の給紙段に「普通紙の属性変更」という用紙を設定しておく。ここでは、［具体例２］と同様に、給紙段３に「普通紙の属性変更」という用紙を予め設定しておくこととする。
【０２４９】
プリンタドライバから起動をかけられたジョブは、給紙段３（複数の給紙段を使ったジョブの場合は、給紙段３以外も含めて）から給紙された「普通紙の属性変更」用紙に対して行なわれる。そして、図５３のテーブルに基づいて、「普通紙の属性変更」用紙の定着温度の調整、定着速度の調整、二次転写電圧の調整、クリープ量の調整、あるいは、それ以外の各種設定条件などがプリンタエンジンに反映される。パラメータの値は、［具体例２］と同様であるため、ここではその詳細は省略するが、同じ設定がプリンタエンジンやフィニッシャなどに設定されて、プリントジョブに反映されて、適切なプリント出力が得られる。
【０２５０】
尚、上述の全ての実施形態に共通する事項を以下に付言しておく。
【０２５１】
本実施形態の印刷システムにおける各種上述の本システムで提供するＵＩ部に対する表示制御は、印刷装置の制御部（例えば、ＭＦＰ内部のＭＦＰ制御部）が実行する。又、印刷システムにおける印刷処理及びフィニッシャによるフィニッシング等、システムにおける動作制御も、印刷装置の制御部（例えば、ＭＦＰ内部のＭＦＰ制御部）が主に実行する。但し、このような構成にしなくても良く、例えばその一部の制御を他の機器の制御部により実行したり、それらの制御部は連携することで上述の各種実施形態の構成要件を実行可能に構成しても良い。
【０２５２】
又、本実施形態における図に示す機能が外部からインストールされるプログラムによって、ホストコンピュータ（例えば、図１に例示するコンピュータ）により遂行されていてもよい。尚、この場合に、各操作画面を含む本形態で述べた操作画面と同様の操作画面を表示させる為のデータを外部からインストールし、該ホストコンピュータの表示部に上記各種のユーザインターフェイス画面を提供可能に構成する。この一例として、本例では、コンピュータの表示部に表示させる図３４〜図４０及び図５４及び図６３及び図６４に例示の各種ＵＩ画面による構成でもって、これを説明している。コンピュータの表示部に表示させるＵＩ画面の表示制御と、印刷装置に対する各種動作の実行要求（例えば、コンピュータから送信対象の印刷ジョブの為の印刷実行要求等）等は、制御プログラムをダウンロードしたコンピュータの制御部が実行する。この構成に必要なプログラムはコンピュータにセットされるＣＤ−ＲＯＭやフラッシュメモリやＦＤ等の記憶媒体に記憶させておく。或いは、ネットワークを介して外部の記憶媒体（外部のサーバ）から、当該プログラムを含む情報群を該コンピュータに直接ダウンロードし、コンピュータの内部のプログラムメモリに保存する。そのうえで、コンピュータの制御部は、当該プログラムを読出し実行することで、上述の各種本実施形態の制御を実行する。このような構成でも、本発明は適用されるものである。
【０２５３】
以上のように、前述した実施形態の機能を実現するソフトウェアのプログラムコードを、システムあるいは装置のコンピュータ（またはＣＰＵやＭＰＵ）が記憶媒体から読出し実行することによっても、本発明の目的が達成されることは言うまでもない。
【０２５４】
この場合、記憶媒体から読み出されたプログラムコード自体が本発明の新規な機能を実現することになり、そのプログラムコードを記憶した記憶媒体は本発明を構成することになる。
【０２５５】
従って、プログラムの機能を有していれば、オブジェクトコード、インタプリタにより実行されるプログラム、ＯＳに供給するスクリプトデータ等、プログラムの形態を問わない。プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。この場合、記憶媒体から読出されたプログラムコード自体が前述した実施形態の機能を実現することになり、そのプログラムコードを記憶した記憶媒体は本発明を構成することになる。
【０２５６】
その他、クライアントコンピュータのブラウザを用いてインターネットのホームページに接続し、該ホームページから本発明のコンピュータプログラムそのものをダウンロードする実施形態も本発明の範疇に含まれうる。また、圧縮され自動インストール機能を含むファイルをハードディスク等の記録媒体にダウンロードする形態も同様である。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０２５７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせてもよい。その鍵情報を使用することにより暗号化されたプログラムを実行してコンピュータにインストールさせて実現することも可能である。
【０２５８】
また、プログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２５９】
さらに、記憶媒体から読み出されたプログラムコードが、機能拡張ボードや機能拡張ユニットに備わるメモリに書き込まれた後、そのプログラムコードの指示に基づき、その機能拡張ボードなどに備わるＣＰＵ等が実際の処理の一部または全部を行ってもよい。
【０２６０】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０２６１】
本発明は上記実施形態に限定されるものではなく、本発明の趣旨に基づき種々の変形（各実施形態の有機的な組合せを含む）が可能であり、それらを本発明の範囲から排除するものではない。例えば、本形態では、印刷装置１００内部の制御部２０３が上記各種制御の主体となっていたが、印刷装置１００と別筐体の外付けコントローラ等によって、上記各種制御の１部又は全部を実行可能に構成しても良い。
【０２６２】
以上、本発明の様々な例と実施形態を示して説明したが、当業者であれば、本発明の趣旨と範囲は、本明細書内の特定の説明に限定されるのではない。
【図面の簡単な説明】
【０２６３】
【図１】ディジタルプリントシステムの構成の一例を示すブロック図である。
【図２】ＭＦＰのシステム構成を示すブロック図である。
【図３】用紙情報システムの構成を示すブロック図である。
【図４】用紙情報システムのフローを示す図である。
【図５】用紙情報データベースの構成を示す図である。
【図６】用紙情報ＩＤの構成を示す図である。
【図７】操作部の構成の一例を示す模式図である。
【図８】操作部内のキー入力部の構成の一例を示す模式図である。
【図９】操作部内のタッチパネル部の遷移図である。
【図１０】操作部内のタッチパネル部の構成の一例を示す模式図である。
【図１１】操作部内のタッチパネル部から用紙情報の設定を行う一例を示す模式図である。
【図１２】操作部内のタッチパネル部から用紙情報の設定を行う一例を示す模式図である。
【図１３】操作部内のタッチパネル部から用紙情報の設定を行う一例を示す模式図である。
【図１４】操作部内のタッチパネル部から用紙情報の設定を行う一例を示す模式図である。
【図１５】操作部内のタッチパネル部から用紙情報の設定を行う一例を示す模式図である。
【図１６】操作部内のタッチパネル部に表示される内容を説明する図である。
【図１７】装置の給紙段情報について説明する図である。
【図１８】操作部内のタッチパネル部から用紙情報の登録を行う一例を示す模式図である。
【図１９】操作部内のタッチパネル部から用紙情報の登録を行う一例を示す模式図である。
【図２０】操作部内のタッチパネル部から用紙情報の登録を行う一例を示す模式図である。
【図２１】操作部内のタッチパネル部から用紙情報の登録を行う一例を示す模式図である。
【図２２】操作部内のタッチパネル部から用紙情報の登録を行う一例を示す模式図である。
【図２３】操作部内のタッチパネル部から用紙情報の登録を行う一例を示す模式図である。
【図２４】操作部内のタッチパネル部から用紙情報の登録を行う一例を示す模式図である。
【図２５】操作部内のタッチパネル部から用紙情報の登録を行う一例を示す模式図である。
【図２６】操作部内のタッチパネル部から用紙情報の登録を行う一例を示す模式図である。
【図２７】操作部内のタッチパネル部から用紙情報の登録を行う一例を示す模式図である。
【図２８】操作部内のタッチパネル部から用紙情報の登録を行う一例を示す模式図である。
【図２９】操作部内のタッチパネル部から用紙情報の登録を行う一例を示す模式図である。
【図３０】操作部内のタッチパネル部から用紙情報の設定を行う一例を示す模式図である。
【図３１】用紙情報の基本パラメータによる分類を示す図である。
【図３２】Ｔｙｐｅ１とＴｙｐｅ２、３の相違を示す図である。
【図３３】プリンタドライバを使った際のフローを示す図である。
【図３４】プリンタドライバから用紙情報の設定を行う一例を示す模式図である。
【図３５】プリンタドライバから用紙情報の設定を行う一例を示す模式図である。
【図３６】プリンタドライバから用紙情報の設定を行う一例を示す模式図である。
【図３７】プリンタドライバから用紙情報の設定を行う一例を示す模式図である。
【図３８】プリンタドライバから用紙情報の設定を行う一例を示す模式図である。
【図３９】プリンタドライバから用紙情報の設定を行う一例を示す模式図である。
【図４０】プリンタドライバから用紙情報の設定を行う一例を示す模式図である。
【図４１】プリンタ部の断面図である。
【図４２】プリンタ内の作像部の断面図である。
【図４３】プリンタ内の定着部の断面図である。
【図４４】プリンタ内の定着部の模式図である。
【図４５】プリンタ内の定着部の制御を示す図である。
【図４６】中綴じ製本部の断面図である。
【図４７】中綴じ製本の仕上がりを示す図である。
【図４８】操作部内のタッチパネル部から自動給紙段設定時の用紙の種類を考慮する操作の一例を示す模式図である。
【図４９】自動給紙段設定の場合の用紙の扱いの一例を示す図である。
【図５０】Ｔｙｐｅ１用紙の用紙情報データベースの内容の一例を表す図である。
【図５１】Ｔｙｐｅ２用紙の用紙情報データベースの内容の一例を表す図である。
【図５２】Ｔｙｐｅ３用紙の用紙情報データベースの内容の一例を表す図である。
【図５３】操作部に表示されているＴｙｐｅ１及び、Ｔｙｐｅ２用紙の用紙情報データベースの内容の一例を表す図である。
【図５４】操作部内のタッチパネル部から用紙情報の登録を行う一例を示す模式図である。
【図５５】操作部内のタッチパネル部に表示される内容を説明する図である。
【図５６】Ｔｙｐｅ２用紙の用紙情報データベースの内容の一例を表す図である。
【図５７】操作部内のタッチパネル部に表示される内容を説明する図である。
【図５８】Ｔｙｐｅ２用紙の用紙情報データベースの内容の一例を表す図である。
【図５９】操作部内のタッチパネル部の構成の一例を示す模式図である。
【図６０】ユーザモードの共通仕様設定の一例を示す模式図である。
【図６１】ユーザモードの共通仕様設定の一例を示す模式図である。
【図６２】操作部内のタッチパネル部の構成の一例を示す模式図である。
【図６３】プリンタドライバから用紙情報の設定を行う一例を示す模式図である。
【図６４】プリンタドライバから用紙情報の設定を行う一例を示す模式図である。
【図１】
2007301911.tif 000003
【図２】
2007301911.tif 000004
【図３】
2007301911.tif 000005
【図４】
2007301911.tif 000006
【図６】
2007301911.tif 000007
【図３２】
2007301911.tif 000008
【図３３】
2007301911.tif 000009
【図４１】
2007301911.tif 000010
【図４２】
2007301911.tif 000011
【図４３】
2007301911.tif 000012
【図４４】
2007301911.tif 000013
【図４５】
2007301911.tif 000014
【図４９】
2007301911.tif 000015
【図５】
2007301911.tif 000016
【図７】
2007301911.tif 000017
【図８】
2007301911.tif 000018
【図９】
2007301911.tif 000019
【図１０】
2007301911.tif 000020
【図１１】
2007301911.tif 000021
【図１２】
2007301911.tif 000022
【図１３】
2007301911.tif 000023
【図１４】
2007301911.tif 000024
【図１５】
2007301911.tif 000025
【図１６】
2007301911.tif 000026
【図１７】
2007301911.tif 000027
【図１８】
2007301911.tif 000028
【図１９】
2007301911.tif 000029
【図２０】
2007301911.tif 000030
【図２１】
2007301911.tif 000031
【図２２】
2007301911.tif 000032
【図２３】
2007301911.tif 000033
【図２４】
2007301911.tif 000034
【図２５】
2007301911.tif 000035
【図２６】
2007301911.tif 000036
【図２７】
2007301911.tif 000037
【図２８】
2007301911.tif 000038
【図２９】
2007301911.tif 000039
【図３０】
2007301911.tif 000040
【図３１】
2007301911.tif 000041
【図３４】
2007301911.tif 000042
【図３５】
2007301911.tif 000043
【図３６】
2007301911.tif 000044
【図３７】
2007301911.tif 000045
【図３８】
2007301911.tif 000046
【図３９】
2007301911.tif 000047
【図４０】
2007301911.tif 000048
【図４６】
2007301911.tif 000049
【図４７】
2007301911.tif 000050
【図４８】
2007301911.tif 000051
【図５０】
2007301911.tif 000052
【図５１】
2007301911.tif 000053
【図５２】
2007301911.tif 000054
【図５３】
2007301911.tif 000055
【図５４】
2007301911.tif 000056
【図５５】
2007301911.tif 000057
【図５６】
2007301911.tif 000058
【図５７】
2007301911.tif 000059
【図５８】
2007301911.tif 000060
【図５９】
2007301911.tif 000061
【図６０】
2007301911.tif 000062
【図６１】
2007301911.tif 000063
【図６２】
2007301911.tif 000064
【図６３】
2007301911.tif 000065
【図６４】
2007301911.tif 000066